(57)【要約】  食器洗浄器は洗浄水を噴射する複数の噴射ノズルと、洗浄水を貯水するサンプと、サンプに貯水された洗浄水をポンピングするポンプと、ポンプによってポンピングされる洗浄水を複数の噴射ノズルに分配する分配装置を含み、分配装置は、軸方向一端部に形成されるインレットと、円周面に軸方向に沿って配列されて複数の噴射ノズルに連結される複数のアウトレットを有する円筒状のハウジングと、複数のアウトレットを開閉するようにハウジングの内部に回転可能に配置された開閉部材と、開閉部材を回転させるモーターを含み、複数のノズルで独立的に洗浄水を噴射することができ、洗浄槽の分割洗浄が可能であり、洗浄水の圧力損失が低減されて洗浄力が増大され得る。
2017500972.tif 000002
【特許請求の範囲】
【請求項１】
本体；
洗浄水を噴射する複数の噴射ノズル；
および
前記洗浄水を前記複数の噴射ノズルに分配する分配装置；を含み、
前記分配装置は、
軸方向一端部に形成されるインレットと、円周面に軸方向に沿って配列され、前記複数の噴射ノズルに連結される複数のアウトレットを有する円筒状のハウジング；
前記複数のアウトレットを開閉するように前記ハウジングの内部に回転可能に配置された開閉部材；および
前記開閉部材を回転させるモーター；を含むことを特徴とする食器洗浄器。
【請求項２】
前記開閉部材の回転により前記複数のアウトレットが独立的に開閉されることを特徴とする、請求項１に記載の食器洗浄器。
【請求項３】
前記開閉部材は円筒状を有する回転ボディーと、前記複数のアウトレットを閉鎖するように前記回転ボディーに結合される複数のシーリング部材を含むことを特徴とする、請求項１に記載の食器洗浄器。
【請求項４】
前記シーリング部材は前記回転ボディーの半径方向に移動できるように前記回転ボディーに結合されたことを特徴とする、請求項３に記載の食器洗浄器。
【請求項５】
前記シーリング部材は前記回転ボディーに密着される開放位置と、前記アウトレットに密着される閉鎖位置の間で移動することを特徴とする、請求項３に記載の食器洗浄器。
【請求項６】
前記シーリング部材は洗浄水の水圧によって前記開放位置から前記閉鎖位置に移動することを特徴とする、請求項５に記載の食器洗浄器。
【請求項７】
前記シーリング部材は曲面の形状を有するシーリング部と、前記回転ボディーに結合されるように前記シーリング部から突出される結合突起部を含むことを特徴とする、請求項３に記載の食器洗浄器。
【請求項８】
前記回転ボディーは前記結合突起部が挿入される係止ホールを含むことを特徴とする、請求項７に記載の食器洗浄器。
【請求項９】
前記結合突起部は前記シーリング部材が前記回転ボディーから離脱することを防止するように突出されるストッパー部を含むことを特徴とする、請求項７に記載の食器洗浄器。
【請求項１０】
前記回転ボディーの外周面は前記ハウジングの内周面から所定間隙離隔したことを特徴とする、請求項３に記載の食器洗浄器。
【請求項１１】
前記回転ボディーは前記回転ボディーの外周面と前記ハウジングの内周面の間の間隔を維持するように半径方向に突出される離隔突起を含むことを特徴とする、請求項１０に記載の食器洗浄器。
【請求項１２】
前記回転ボディーは前記複数のアウトレットに対応するように円周面に形成される複数の連通ホールを含むことを特徴とする、請求項３に記載の食器洗浄器。
【請求項１３】
前記分配装置は前記開閉部材とともに回転するように前記開閉部材と前記モーターに結合されたカム部材と、前記開閉部材の回転位置を感知するように前記カム部材に接触するマイクロスイッチをさらに含むことを特徴とする、請求項１に記載の食器洗浄器。
【請求項１４】
前記カム部材は回転により前記マイクロスイッチをオンおよびオフさせるように円周方向に沿って交互に形成された凸部と凹部を含むことを特徴とする、請求項１３に記載の食器洗浄器。
【請求項１５】
前記分配装置は前記マイクロスイッチのオンおよびオフの時間により前記開閉部材の回転位置を指定し、前記開閉部材を前記回転位置の中で必要な回転位置に回転させるように前記モーターを回転させるか停止させる制御部をさらに含むことを特徴とする、請求項１４に記載の食器洗浄器。
【請求項１６】
前記複数の噴射ノズルは前記洗浄槽の一側に固定された少なくとも一つの固定ノズルと、水圧によって回転する少なくとも一つの回転ノズルを含むことを特徴とする、請求項１に記載の食器洗浄器。
【請求項１７】
前記少なくとも一つの固定ノズルは前記洗浄槽の後壁に隣接するように配置され、
前記インレットは前記本体の一側壁に向かうように配置され、前記複数のアウトレットは前記本体の後壁に向かうように設けられたことを特徴とする、請求項１６に記載の食器洗浄器。
【請求項１８】
本体；
前記本体の内部に配置された洗浄槽；
前記洗浄槽の一側に固定されて洗浄水を噴射する複数の固定ノズル；
前記洗浄槽内部を移動して前記複数の固定ノズルから噴射される洗浄水を反射するベイン；および
前記洗浄槽の全体領域または一部の領域に選択的に洗浄水を噴射するように前記複数の固定ノズルの全部または一部に選択的に洗浄水を分配する分配装置；を含むことを特徴とする、食器洗浄器。
【請求項１９】
前記複数の固定ノズルは前記洗浄槽の左側に配置された左側固定ノズルと、前記洗浄槽の右側に配置された右側固定ノズルを含み、
前記洗浄槽は第１領域と第２領域に分割され、前記洗浄槽の第１領域と第２領域は独立的に洗浄される、請求項１８に記載の食器洗浄器。
【請求項２０】
前記複数の固定ノズルは前記本体の後壁に隣接するように配置されることを特徴とする、請求項１８に記載の食器洗浄器。
【請求項２１】
前記分配装置は、
軸方向一端部に形成されるインレットと、円周面に軸方向に沿って配列され、前記複数の固定ノズルに連結される複数のアウトレットを有する円筒状のハウジング；
前記複数のアウトレットを開閉するように前記ハウジングの内部に回転可能に配置された開閉部材；および
前記開閉部材を回転させるモーター；を含むことを特徴とする、請求項１８に記載の食器洗浄器。
【請求項２２】
前記インレットは前記本体の一側壁に向かうように配置され、前記複数のアウトレットは前記本体の後壁に向かうように配置されたことを特徴とする、請求項２１に記載の食器洗浄器。
【請求項２３】
前記開閉部材は円筒状を有して前記複数のアウトレットに対応する複数の連通ホールが形成された回転ボディーと、前記複数のアウトレットを閉鎖するように前記回転ボディーに結合される複数のシーリング部材を含むことを特徴とする、請求項２１に記載の食器洗浄器。
【請求項２４】
前記分配装置は前記開閉部材とともに回転するように前記開閉部材に結合されたカム部材と、前記開閉部材の回転位置を感知するように前記カム部材に接触するマイクロスイッチをさらに含むことを特徴とする、請求項２１に記載の食器洗浄器。
【請求項２５】
軸方向一端部に形成されるインレットと、円周面に軸方向に沿って配列される複数のアウトレットを有する円筒状のハウジング；
前記ハウジングの内部に回転可能に配置され、前記複数のアウトレットに対応する複数の連通ホールを有する円筒状の回転ボディー；
前記複数のアウトレットを閉鎖するように前記回転ボディーに結合される複数のシーリング部材；
前記回転ボディーを回転させるモーター；
前記回転ボディーとともに回転するように前記回転ボディーに結合されたカム部材；および
前記回転ボディーの回転位置を感知するように前記カム部材に接触するマイクロスイッチ；を含むことを特徴とする、分配装置。
【請求項２６】
前記シーリング部材は前記回転ボディーに密着される開放位置と、前記アウトレットに密着される閉鎖位置の間で半径方向に移動できるように前記回転ボディーに結合され、水圧によって前記開放位置から前記閉鎖位置に移動することを特徴とする、請求項２５に記載の分配装置。
【請求項２７】
本体；
洗浄水を噴射する複数の噴射ノズル；および
前記洗浄水を前記複数の噴射ノズルに分配する分配装置；を含み、
前記分配装置は、
上面と底面と円周面を有する円筒状で形成され、前記複数の噴射ノズルに連結される複数のアウトレットを有するハウジングであって、前記複数のアウトレットは前記ハウジングの上面と底面のうち少なくともいずれか一つに形成される少なくとも一つの軸方向アウトレットと、前記ハウジングの円周面に形成される少なくとも一つの半径方向アウトレットを有するハウジング；
前記ハウジングの内部に前記ハウジングの軸方向を中心に回転可能に配置され、前記少なくとも一つの軸方向アウトレットを開閉する軸方向開閉部と、前記少なくとも一つの半径方向アウトレットを開閉する半径方向開閉部を有する開閉部材；および
前記開閉部材を回転させるように回転力を発生させるモーター；を含むことを特徴とする、食器洗浄器。
【請求項２８】
前記軸方向開閉部と、前記半径方向開閉部は一体であることを特徴とする、請求項２７に記載の食器洗浄器。
【請求項２９】
前記軸方向開閉部と、前記半径方向開閉部は相互垂直であることを特徴とする、請求項２７に記載の食器洗浄器。
【請求項３０】
前記軸方向開閉部は前記少なくとも一つの軸方向アウトレットに対応するように配置された少なくとも一つの軸方向連通ホールを含むことを特徴とする、請求項２７に記載の食器洗浄器。
【請求項３１】
前記半径方向開閉部は前記少なくとも一つの半径方向アウトレットに対応するように少なくとも一つの半径方向連通ホールを含むことを特徴とする、請求項２７に記載の食器洗浄器。
【請求項３２】
前記開閉部材は円筒状を有することを特徴とする、請求項２７に記載の食器洗浄器。
【請求項３３】
本体；
洗浄水を噴射する複数の噴射ノズル；および
ポンプによってポンピングされる洗浄水の流入を収容し、収容された洗浄水を前記複数の噴射ノズルに分配する分配システム；を含み、
前記分配システムは、
前記ポンプと前記複数の噴射ノズルを連結し、複数の分岐点を有する分配流路；および
前記複数の分岐点に配置され、洗浄水を分配する複数の分配装置；を含むことを特徴とする、食器洗浄器。
【請求項３４】
前記複数の分配装置の中の少なくとも一つの分配装置は、
インレットと、複数のアウトレットを有する円筒状のハウジング；
前記ハウジングの内部に前記ハウジングの軸方向を中心に回転可能に配置され、前記複数のアウトレットの中の少なくとも一部を開閉する開閉部材；および
前記開閉部材を回転させるように回転力を発生させるモーター；を含むことを特徴とする、請求項３３に記載の食器洗浄器。
【請求項３５】
前記複数のアウトレットは前記円筒状のハウジングの円周面に形成されることを特徴とする、請求項３４に記載の食器洗浄器。
【請求項３６】
前記複数のアウトレットは前記ハウジングの軸方向に沿って配列されることを特徴とする、請求項３５に記載の食器洗浄器。
【請求項３７】
前記複数のアウトレットは前記円筒状のハウジングの上面と底面のうち少なくともいずれか一つに形成されることを特徴とする、請求項３４に記載の食器洗浄器。
【請求項３８】
前記複数のアウトレットは前記ハウジングの半径方向に沿って配列されることを特徴とする、請求項３７に記載の食器洗浄器。
【請求項３９】
前記複数のアウトレットは前記円筒状のハウジングの円周面に形成される半径方向アウトレットと、前記円筒状のハウジングの上面と底面のうち少なくともいずれか一つに形成される軸方向アウトレットを含むことを特徴とする、請求項３４に記載の食器洗浄器。
【請求項４０】
前記開閉部材は前記少なくとも一つの軸方向アウトレットを開閉する軸方向開閉部と、前記少なくとも一つの半径方向アウトレットを開閉して前記軸方向開閉部に垂直な半径方向開閉部を含むことを特徴とする、請求項３９に記載の食器洗浄器。
【請求項４１】
食器洗浄器用分配装置であって、
ハウジングとして、前記ハウジングの表面上に配列された複数のアウトレットおよび前記食器洗浄器のポンプと連結可能なインレットを含む、前記ハウジング；
前記複数のアウトレットを選択的に開閉するように前記複数のアウトレットに対応する複数の連通ホールとともに形成され、前記ハウジング内に回転可能に配置された開閉部材；および
前記開閉部材を回転させるモーターを含み、
少なくとも一つのアウトレットの軸方向が前記インレットの軸方向に実質的に垂直である、食器洗浄器用分配装置。
【請求項４２】
前記ハウジングは円筒状であり、前記インレットは前記ハウジングの軸方向一端部に形成され、複数のアウトレットは軸方向に前記円筒状のハウジングの円周面に配列された、請求項４１に記載の食器洗浄器用分配装置。
【請求項４３】
前記開閉部材は、円筒状を有する回転ボディー、および前記複数のアウトレットを閉鎖するように前記回転ボディーに結合される複数のシーリング部材を含み、
前記分配装置は、
前記回転ボディーとともに回転するように前記回転ボディーと結合されたカム部材；および
前記回転ボディーの回転位置を感知するように前記カム部材によって接触されるマイクロスイッチをさらに含む、請求項４２に記載の食器洗浄器用分配装置。
【請求項４４】
前記複数のアウトレットのうち一つ以上の流出流路を開閉するように前記複数のアウトレットのうち前記一つ以上に対応する一つ以上の分配バルブをさらに含む、請求項４１に記載の食器洗浄器用分配装置。
【請求項４５】
前記ハウジングは、円筒状であり、上面、底面、および円周面を有し、前記インレットは前記ハウジングの円周面に形成され、少なくとも一つのアウトレットは前記ハウジングの上面と底面のうち少なくとも一つに形成される、請求項４１に記載の食器洗浄器用分配装置。
【請求項４６】
複数のアウトレットは前記ハウジングの上面と底面のうち少なくとも一つに形成され、連通ホールの個数は前記ハウジングの上面と底面のうち少なくとも一つに形成されたアウトレットの個数より多き、請求項４５に記載の食器洗浄器用分配装置。
【請求項４７】
少なくとも一つのアウトレットが前記ハウジングの円周面に形成される、請求項４５に記載の食器洗浄器用分配装置。
【請求項４８】
複数のアウトレットが前記ハウジングの円周面に形成され、連通ホールの個数は前記ハウジングの円周面に形成されたアウトレットの個数より多き、請求項４７に記載の食器洗浄器用分配装置。
【請求項４９】
前記開閉部材は、前記ハウジングの上面と底面のうち前記少なくとも一つに形成された少なくとも一つのアウトレットを開閉する軸方向開閉部；および
前記ハウジングの円周面に形成された前記少なくとも一つのアウトレットを開閉する半径方向開閉部を含む、請求項４７に記載の食器洗浄器用分配装置。
【発明の詳細な説明】
【技術分野】
【０００１】
本開示内容は、本開示内容の各実施例は、洗浄槽の一側に固定された噴射ノズルおよび洗浄槽内に移動可能に配置されて噴射ノズルから噴射される洗浄水を食器に向けて反射するように構成されたベインを具備する食器洗浄器に関するものである。
【背景技術】
【０００２】
高圧の洗浄水を食器に噴射して食器を洗浄する家電機器だある食器洗浄器は、食器洗浄器内に提供される洗浄槽を具備する本体、食器を収納するバスケット、洗浄水を貯水するサンプ、洗浄水を噴射する噴射ノズル、および洗浄水をサンプから噴射ノズルに供給するポンプを含む。
【０００３】
一般的に食器洗浄器は回転噴射ノズルを有するロータータイプの噴射構造を採用する。回転噴射ノズルは水圧によって回転される間、洗浄水を噴射する。このような回転噴射ノズルは回転半径内で洗浄水を噴射するため、噴射される洗浄水が到達しない領域が存在し得る。したがって、噴射される洗浄水がすべての領域に到達するリニアタイプの噴射構造が提案されている。
【０００４】
リニアタイプの噴射構造は、洗浄槽の一側に固定された固定ノズル、および固定された噴射ノズルから噴射される洗浄水を食器に向けて反射するように洗浄槽内で移動するベインを含む。したがって、リニアタイプの噴射構造は反射板の移動により食器洗浄器のすべての領域に洗浄水を反射することができる。
【０００５】
固定ノズルは洗浄槽の左右方向に配列された複数の噴射ホールを具備することができる。固定ノズルは、洗浄槽の後壁に固定され得、ベインの複数の噴射ホールから噴射される洗浄水を反射させるように洗浄槽の左右方向に延長され得、洗浄槽の前後方向に線形往復運動するように配置され得る。
【０００６】
リニアタイプの噴射構造はベインを駆動する駆動ユニットをさらに具備する。駆動ユニットは多様な形態で具現され得る。例えば、駆動ユニットは、モーター、ベインに駆動力を伝達するようにモーターに連結されたベルト、およびベインの移動を案内するレールを含むことができる。モーターが駆動されるとベルトが回転し、ベインがレール上で移動するようにすることができる。
【発明の概要】
【発明が解決しようとする課題】
【０００７】
サンプに貯水された洗浄水を噴射ノズルに分配する分配装置に関して、リニアタイプの噴射構造は、ロータータイプの噴射構造の分配装置とは異なる構造を有する分配装置を採用することができる。
【０００８】
回転ノズルが洗浄槽の下部に配置される噴射ノズルとして使用される場合、噴射装置のアウトレットが上側を向くように配置することによって、分配装置のアウトレットを回転ノズルに連結する流路の長さを短くすることができ、洗浄水の圧力損失を最小化することができる。
【０００９】
反面、固定ノズルが洗浄槽の下部に配置される噴射ノズルとして使用される場合、固定ノズルは洗浄槽の後壁に隣接して配置され、したがって、分配装置のアウトレットが上側を向くように配置される必要がない。アウトレットが上側を向くように配置されると、分配装置のアウトレットを固定ノズルに連結する流路が分配装置のアウトレット周囲から後方側に折り曲げられなければならないので、洗浄水の圧力損失が増大し得る。
【００１０】
一方、リニアタイプの噴射構造の噴射ノズルは固定されているため、洗浄槽の一つの区間をターゲットにして洗浄水を噴射洗浄することは、洗浄水を噴射ノズルのうち一部にのみ供給することによって具現され得る。
【課題を解決するための手段】
【００１１】
本開示内容の思想によれば、食器洗浄器は本体；と、洗浄水を噴射する複数の噴射ノズル；と、洗浄水を貯水するサンプ；と、前記サンプに貯水された洗浄水をポンピングするポンプ；および前記ポンプによってポンピングされる洗浄水を前記複数の噴射ノズルに分配する分配装置；を含むことができる。前記分配装置は、軸方向一端部に形成されるインレットと、円周面に軸方向に沿って配列され、前記複数の噴射ノズルに連結される複数のアウトレットを有する円筒状のハウジング；と、前記複数のアウトレットを開閉するように前記ハウジングの内部に回転可能に配置されるか置かれる開閉部材；および前記開閉部材を回転させるモーター；を含むことができる。
【００１２】
ここで、前記開閉部材の回転により前記複数のアウトレットが独立的に開閉され得る。
【００１３】
また、前記開閉部材は円筒状を有する回転ボディーと、前記複数のアウトレットを閉鎖するように前記回転ボディーに結合される複数のシーリング部材を含むことができる。
【００１４】
ここで、前記シーリング部材は前記回転ボディーの半径方向に移動可能に前記回転ボディーに結合され得る。
【００１５】
また、前記シーリング部材は前記回転ボディーに密着される開放位置と、前記アウトレットに密着される閉鎖位置の間で移動することができる。
【００１６】
ここで、前記シーリング部材は洗浄水の水圧によって前記開放位置から前記閉鎖位置に移動することができる。
【００１７】
また、前記シーリング部材は曲面の形状を有するシーリング部と、前記回転ボディーに結合されるように前記シーリング部から突出する結合突起部を含むことができる。
【００１８】
ここで、前記回転ボディーは前記結合突起部が挿入される係止ホールを含むことができる。
【００１９】
また、前記結合突起部は前記シーリング部材が前記回転ボディーから離脱することを防止するように突出するストッパー部を含むことができる。
【００２０】
また、前記回転ボディーの外周面は前記ハウジングの内周面から所定間隙離隔され得る。
【００２１】
ここで、前記回転ボディーは前記回転ボディーの外周面と前記ハウジングの内周面の間の間隔を維持するように、半径方向に突出する離隔突起を含むことができる。
【００２２】
また、前記回転ボディーは前記複数のアウトレットに対応するように円周面に形成される複数の連通ホールを含むことができる。
【００２３】
また、前記分配装置は前記開閉部材とともに回転するように前記開閉部材と前記モーターに結合されたカム部材と、前記開閉部材の回転位置を感知するように前記カム部材に接触するマイクロスイッチをさらに含むことができる。
【００２４】
ここで、前記カム部材は回転により前記マイクロスイッチをオンおよびオフさせるように円周方向に沿って交互に形成された凸部と凹部を含むことができる。
【００２５】
ここで、前記分配装置は前記マイクロスイッチのオンおよびオフの時間により前記開閉部材の回転位置を指定し、前記開閉部材を前記回転位置の中で必要な回転位置に回転させるように前記モーターを回転させるか停止させる制御部をさらに含むことができる。
【００２６】
また、前記複数の噴射ノズルは前記洗浄槽の一側に固定された少なくとも一つの固定ノズルと、水圧によって回転する少なくとも一つの回転ノズルを含むことができる。
【００２７】
ここで、前記少なくとも一つの固定ノズルは前記洗浄槽の後壁に隣接して配置され得、前記インレットは前記本体の一側壁に向かうように配置されるか置かれ得、前記複数のアウトレットは前記本体の後壁に向かうように配置されるか置かれ得る。
【００２８】
他の側面で、本開示内容の思想によれば、食器洗浄器は本体；と、前記本体の内部に配置されるか置かれた洗浄槽；と、食器を収納するように前記洗浄槽に配置されるか置かれたバスケット；と、前記洗浄槽の一側に固定されて洗浄水を噴射する複数の固定ノズル；と、前記洗浄槽内部を移動して前記複数の固定ノズルから噴射される洗浄水を前記食器側に反射させるベイン；および前記洗浄槽の全体領域または一部の領域に選択的に洗浄水を噴射するように前記複数の固定ノズルの全部または一部に選択的に洗浄水を分配する分配装置；を含むことができる。
【００２９】
ここで、前記複数の固定ノズルは前記洗浄槽の左側に配置されるか置かれた左側固定ノズルと、前記洗浄槽の右側に配置されるか置かれた右側固定ノズルを含むことができ、前記洗浄槽の左右分割洗浄が可能となり得る。
【００３０】
また、前記複数の固定ノズルは前記本体の後壁に隣接するように配置され得る。
【００３１】
また、前記分配装置は、軸方向一端部に形成されるインレットと、円周面に軸方向に沿って配列され、前記複数の固定ノズルに連結される複数のアウトレットを有する円筒状のハウジング；と、前記複数のアウトレットを開閉するように前記ハウジングの内部に回転可能に配置されるか置かれた開閉部材；および前記開閉部材を回転させるモーター；を含むことができる。
【００３２】
ここで、前記インレットは前記本体の一側壁に向かうように配置されるか置かれ得、前記複数のアウトレットは前記本体の後壁を向かうように配置されるか置かれ得る。
【００３３】
また、前記開閉部材は円筒状を有して前記複数のアウトレットに対応する複数の連通ホールが形成された回転ボディーと、前記複数のアウトレットを閉鎖するように前記回転ボディーに結合される複数のシーリング部材を含むことができる。
【００３４】
また、前記分配装置は前記開閉部材とともに回転するように前記開閉部材に結合されたカム部材と、前記開閉部材の回転位置を感知するように前記カム部材に接触するマイクロスイッチをさらに含むことができる。
【００３５】
本開示内容の思想によれば、分配装置は軸方向一端部に形成されるインレットと、円周面に軸方向に沿って配列される複数のアウトレットを有する円筒状のハウジング；と、前記ハウジングの内部に回転可能に配置されるか置かれ、前記複数のアウトレットに対応する複数の連通ホールを有する円筒状の回転ボディー；と、前記複数のアウトレットを閉鎖するように前記回転ボディーに結合される複数のシーリング部材；と、前記回転ボディーを回転させるモーター；と、前記回転ボディーとともに回転するように前記回転ボディーに結合されたカム部材；および前記回転ボディーの回転位置を感知するように前記カム部材に接触するマイクロスイッチ；を含むことができる。
【００３６】
ここで、前記シーリング部材は前記回転ボディーに密着される開放位置と、前記アウトレットに密着される閉鎖位置の間で半径方向に移動可能に前記回転ボディーに結合され、水圧によって前記開放位置から前記閉鎖位置に移動することができる。
【００３７】
また別の側面で本開示内容の思想によれば、食器洗浄器は本体；と、洗浄水を噴射する複数の噴射ノズル；と、洗浄水を貯水するサンプ；と、前記サンプに貯水された洗浄水をポンピングするポンプ；および前記ポンプによってポンピングされる洗浄水を前記複数の噴射ノズルに分配する分配装置；を含むことができる。前記分配装置は、上面と底面と円周面を有する円筒状で形成され、前記複数の噴射ノズルに連結される複数のアウトレットを有するハウジングであって、前記複数のアウトレットは前記ハウジングの上面と底面のうち少なくともいずれか一つに形成される少なくとも一つの軸方向アウトレットと、前記ハウジングの円周面に形成される少なくとも一つの半径方向アウトレットを有するハウジング；と、前記ハウジングの内部に前記ハウジングの軸方向を中心に回転可能に配置されるか置かれ、前記少なくとも一つの軸方向アウトレットを開閉する軸方向開閉部と、前記少なくとも一つの半径方向アウトレットを開閉する半径方向開閉部を有する開閉部材；および前記開閉部材を回転させるように回転力を発生させるモーター；を含むことができる。
【００３８】
前記軸方向開閉部と、前記半径方向開閉部は一体であり得る。
【００３９】
前記軸方向開閉部と、前記半径方向開閉部は相互垂直となり得る。
【００４０】
前記軸方向開閉部は前記軸方向アウトレットに対応するように配置されるか置かれ、前記軸方向アウトレットを開放させる軸方向連通ホールを含むことができる。
【００４１】
前記半径方向開閉部は前記半径方向アウトレットに対応するように配置されるか置かれ、前記半径方向アウトレットを開放させる半径方向連通ホールを含むことができる。
【００４２】
前記開閉部材は円筒状を有し得る。
【００４３】
また別の側面で本開示内容の思想によれば、食器洗浄器は本体；と、洗浄水を噴射する複数の噴射ノズル；と、洗浄水を貯水するサンプ；と、前記サンプに貯水された洗浄水をポンピングするポンプ；および前記ポンプによってポンピングされる洗浄水を前記複数の噴射ノズルに分配する分配システム；を含むことができる。前記分配システムは、前記ポンプと前記複数の噴射ノズルを連結し、複数の分岐点を有する分配流路；および前記複数の分岐点に配置されるか置かれ、洗浄水を分配する複数の分配装置；を含む。
【００４４】
前記複数の分配装置の中の少なくとも一つの分配装置は、インレットと、複数のアウトレットを有する円筒状のハウジング；と、前記ハウジングの内部に前記ハウジングの軸方向を中心に回転可能に配置されるか置かれ、前記複数のアウトレットの中の少なくとも一部を開閉する開閉部材；および前記開閉部材を回転させるように回転力を発生させるモーター；を含むことができる。
【００４５】
前記複数のアウトレットは前記円筒状のハウジングの円周面に形成され得る。
【００４６】
前記複数のアウトレットは前記ハウジングの軸方向に沿って配列され得る。
【００４７】
前記複数のアウトレットは前記円筒状のハウジングの上面と底面のうち少なくともいずれか一つに形成され得る。
【００４８】
前記複数のアウトレットは前記ハウジングの半径方向に沿って配列され得る。
【００４９】
前記複数のアウトレットは前記円筒状のハウジングの円周面に形成される半径方向アウトレットと、前記円筒状のハウジングの上面と底面のうち少なくともいずれか一つに形成される軸方向アウトレットを含むことができる。
【００５０】
前記開閉部材は前記少なくとも一つの軸方向アウトレットを開閉する軸方向開閉部と、前記少なくとも一つの半径方向アウトレットを開閉して前記軸方向開閉部に垂直な半径方向開閉部を含むことができる。
【００５１】
本開示内容の別の思想によれば、食器洗浄器用分配装置は、ハウジングの表面上に配列された複数のアウトレットおよび食器洗浄器野ポンプと連結可能なインレットを含むハウジング、複数のアウトレットを選択的に開閉するように複数のアウトレットに対応する複数の連通ホールとともに形成され、ハウジング内に回転可能に配置された開閉部材、および開閉部材を回転させるモーターを含むことができ、少なくとも一つのアウトレットの軸方向がインレットの軸方向に実質的に垂直である。
【００５２】
ハウジングは円筒状であり得、インレットはハウジングの軸方向の一端部に形成され得、複数のアウトレットは複数のアウトレットは軸方向に円筒状のハウジングの円周面に配列され得る。開閉部材は、円筒状を有する回転ボディー、および複数のアウトレットを閉鎖するように回転ボディーに結合される複数のシーリング部材を含むことができる。
【００５３】
分配装置は、回転ボディーとともに回転するように回転ボディーと結合されたカム部材、および回転ボディーの回転位置を感知するようにカム部材によって接触されるマイクロスイッチをされあに含むことができる。
【００５４】
分配装置は、複数のアウトレットのうち一つ以上の流出流路を開閉するように複数のアウトレットのうち前記一つ以上に対応する一つ以上の分配バルブをさらに含むことができる。
【００５５】
ハウジングは、円筒状であり得、上面、底面、および円周面を有することができ、インレットはハウジングの円周面に形成され得、少なくとも一つのアウトレットはハウジングの上面と底面のうち少なくとも一つに形成され得る。また、少なくとも一つのアウトレットがハウジングの円周面に形成され得る。複数のアウトレットはハウジングの上面と底面のうち少なくとも一つに形成され得、連通ホールの個数はハウジングの上面と底面のうち少なくとも一つに形成されたアウトレットの個数より大きくなり得る。
【００５６】
複数のアウトレットはハウジングの円周面に形成され得、連通ホールの個数はハウジングの円周面に形成されたアウトレットの個数より大きくなり得る。
【００５７】
開閉部材は、ハウジングの上面と底面のうち少なくとも一つに形成された少なくとも一つのアウトレットを開閉する軸方向開閉部、およびハウジングの円周面に形成された少なくとも一つのアウトレットを開閉する半径方向開閉部を含むことができる。
【発明の効果】
【００５８】
本開示内容の態様によれば、リニア噴射構造を有する食器洗浄器で洗浄水を分配するように構成された分配装置は、洗浄水の圧力損失を最小化することができ、空間活用性を増大させることができる。
【００５９】
本発明の思想に係るリニアタイプの噴射構造を有する食器洗浄器は洗浄水が円滑に循環して空間活用性が増大され得る。
【００６０】
また、複数の固定ノズルの中で一部の固定ノズルにのみ洗浄水を供給して洗浄槽の一部の領域だけを分割洗浄することができる。
【００６１】
また、より多い数の噴射ノズルに洗浄水を供給することができ、さらに多様な分配組合せを実現および取得することができる。
【図面の簡単な説明】
【００６２】
本開示内容のこのような思想および／またはその他の事項は、明白であり、添付図面とともに後述する各実施例の説明からさらに容易に把握できるであろう。
【図１】本開示内容の一実施例に係る食器洗浄器を図示した概略的な断面図。
【図２】図１の食器洗浄器の下部を図示した図面。
【図３】図１の食器洗浄器の流路構造を図示した図面。
【図４】図１の食器洗浄器の固定ノズルアセンブリーを分解して図示した図面。
【図５】図１の食器洗浄器の固定ノズルアセンブリーを図示した断面図。
【図６】図１の食器洗浄器の分配装置を図示した図面。
【図７】図１の食器洗浄器の分配装置の構成を分解して図示した図面。
【図８】図１の食器洗浄器の分配装置の開閉部材の構成を分解して図示した図面。
【図９】図１の食器洗浄器の分配装置を図示した断面図。
【図１０】図９のＡ部分を拡大して図示した図面。
【図１１】図１の食器洗浄器の分配装置を図示した側面図（モーターは省略される）。
【図１２】図１の食器洗浄器の分配装置のカム部材を拡大して図示した図面。
【図１３】図１の食器洗浄器の分配装置のマイクロスイッチのオンおよびオフの時間と、開閉部材の回転位置の関係を図示した図面。
【図１４】図１の食器洗浄器の分配装置の動作を図示した図面であって、第２アウトレットだけが開放されて回転ノズルにのみ洗浄水が分配される動作を図示した図面。
【図１５】図１の食器洗浄器の分配装置の動作を図示した図面であって、第３アウトレットだけが開放されて右側固定ノズルにのみ洗浄水が分配される動作を図示した図面。
【図１６】図１の食器洗浄器の分配装置の動作を図示した図面であって、第１アウトレットと、第３アウトレットだけが開放されて左側固定ノズルと、右側固定ノズルにのみ洗浄水が分配される動作を図示した図面。
【図１７】図１の食器洗浄器の分配装置の動作を図示した図面であって、第１アウトレットだけが開放されて左側固定ノズルにのみ洗浄水が分配される動作を図示した図面。
【図１８】図１の食器洗浄器の洗浄槽の底板と、底板カバーと、モーターを分解して図示した図面。
【図１９】図１の食器洗浄器の底板と、底板カバーと、モーターの断面図。
【図２０】図１の食器洗浄器のベインと、レールアセンブリーと、噴射ノズルアセンブリーと、底板カバーを分解して図示した図面。
【図２１】図１の食器洗浄器のベインと、駆動装置を図示した図面であって、駆動装置の構成を分解して図示した図面。
【図２２】図１の食器洗浄器のベルトと、ベルトホルダーを図示した図面。
【図２３】図１の食器洗浄器のレールと、ベルトと、ベルトホルダーと、ベインホルダーを図示した断面図。
【図２４】図１の食器洗浄器のレールと、ベルトと、駆動プーリーと、リアホルダーを図示した図面。
【図２５】図１の食器洗浄器のレールと、ベルトと、駆動プーリーと、リアホルダーを図示した断面図。
【図２６】図１の食器洗浄器のレールと、ベルトと、アイドルプーリーと、フロントホルダーを図示した図面。
【図２７】図１の食器洗浄器のレールと、ベルトと、アイドルプーリーと、フロントホルダーを図示した断面図。
【図２８】図１の食器洗浄器のベインと、ベインホルダーを図示した図面。
【図２９】図１の食器洗浄器のベインを図示した斜視図。
【図３０】図１の食器洗浄器のベインと、ベインホルダーの一部を拡大して図示した図面。
【図３１】図１の食器洗浄器のベインが回転する動作を図示した図面。
【図３２】図１の食器洗浄器のベインが回転する動作を図示した図面。
【図３３】図１の食器洗浄器のベインが回転する動作を図示した図面。
【図３４】図１の食器洗浄器のベイン移動区間でベインが洗浄水を反射させる動作を図示した図面。
【図３５】図１の食器洗浄器のベイン未移動区間でベインが洗浄水を反射させる動作を図示した図面。
【図３６】図１の食器洗浄器のサンプと、コースフィルターと、ファインフィルターを図示した図面。
【図３７】図１の食器洗浄器のサンプと、コースフィルターと、ファインフィルターと、マイクロフィルターを分解して図示した図面。
【図３８】図３６のI−I線に沿った断面図。
【図３９】図３８のＢ部分を拡大して図示した図面。
【図４０】図３８のII−II線に沿った断面図。
【図４１】図４０のＣ部分を拡大して図示した図面。
【図４２】図１の食器洗浄器のサンプと、コースフィルターを図示した平面図であって、コースフィルターのロック動作を図示した図面。
【図４３】図１の食器洗浄器のコースフィルターを図示した側面図。
【図４４】図１の食器洗浄器のサンプとコースフィルターを図示した図面であって、コースフィルターのロック動作を図示した図面。
【図４５】図１の食器洗浄器のサンプと、コースフィルターと、マイクロフィルターを図示した断面図。
【図４６】図１の食器洗浄器のコースフィルターと、マイクロフィルターの一部を拡大して図示した平面図。
【図４７】図１の食器洗浄器の洗浄槽の下部を図示した平面図。
【図４８】本開示内容の実施例に係る分配装置を図示した斜視図。
【図４９】図４８の分配装置の動作を説明するための平面図。
【図５０】本開示内容の実施例に係る分配装置を図示した斜視図。
【図５１】図５０の分配装置の動作を説明するための平面図。
【図５２】図５０の分配装置の動作を説明するための側面図。
【図５３】本開示内容の実施例に係る分配装置を図示した斜視図。
【図５４】本開示内容の実施例に係る分配装置の概念図。
【図５５】本開示内容の実施例に係る分配装置の概念図。
【図５６】本開示内容の洗浄水分配システムを図示した概念図。
【発明を実施するための形態】
【００６３】
以下、本開示内容の各実施例を詳細に説明し、その例は、類似の参照番号が全体的に類似の各要素を指し示す添付図面に例示されている。
【００６４】
図１は本開示内容の一実施例に係る食器洗浄器を図示した概略的な断面図である。図２は図１の食器洗浄器の下部を図示した図面である。
【００６５】
図１〜図２を参照して、本開示内容の一実施例に係る食器洗浄器の全体構造を概括的に説明する。
【００６６】
食器洗浄器１は外観を形成する本体１０と、本体１０の内部に配置されるか置かれた洗浄槽３０と、食器を収納するように洗浄槽３０の内部に配置されるか置かれたバスケット１２ａ、１２ｂと、洗浄水を噴射する噴射ノズル３１１、３１３、３３０、３４０と、洗浄水を貯水するサンプ１００と、サンプ１００の洗浄水をポンピングして噴射ノズル３１１、３１３、３３０、３４０に供給する循環ポンプ５１と、サンプ１００の洗浄水を排水ポンプ５２内に流れ得る残骸（例えば、飲食、汚物など）とともに本体１０の外部に排出させる排水ポンプ５２と、洗浄槽３０の内部を移動して洗浄水を食器側に反射させるベイン４００と、ベイン４００を駆動させる駆動装置４２０を含むことができる。
【００６７】
洗浄槽３０は食器を出納することができるように前方が開口された概略ボックス状を有し得る。洗浄槽３０の前方開口はドア１１により開閉され得る。洗浄槽３０は上部壁３１と、後壁３２と、左側壁３３と、右側壁３４と、底板３５を有することができる。
【００６８】
バスケット１２ａ、１２ｂは洗浄水が溜まらことなく通過できるようにワイヤーからなるワイヤーラックであり得る。バスケット１２ａ、１２ｂは洗浄槽の内部に着脱可能に配置されるか置かれ得る。バスケット１２ａ、１２ｂは洗浄槽３０の上部に配置される上部バスケット１２ａと、洗浄槽３０の下部に配置される下部バスケット１２ｂを含むことができる。
【００６９】
噴射ノズル３１１、３１３、３３０、３４０は高圧で洗浄水を噴射して食器を洗浄することができる。噴射ノズル３１１、３１３、３３０、３４０は洗浄槽３０の上部に配置されるか置かれる上部回転ノズル３１１と、洗浄槽３０の中心部に配置されるか置かれる中間回転ノズル３１３と、洗浄槽３０の下部に配置されるか置かれる固定ノズル３３０、３４０を含むことができる。
【００７０】
上部回転ノズル３１１は上部バスケット１２ａの上側に配置されるか置かれ得、水圧によって回転して洗浄水を下方向に噴射することができる。このために、上部回転ノズル３１１の下端には噴射ホール３１２が配置されるか置かれ得る。上部回転ノズル３１１は上部バスケット１２ａに収納された食器に向かって直接洗浄水を噴射することができる。
【００７１】
中間回転ノズル３１３は上部バスケット１２ａと下部バスケット１２ｂの間に配置されるか置かれ江、水圧によって回転して洗浄水を上下方向に噴射することができる。このために、中間回転ノズル３１３の上端と下端には噴射ホール３１４が配置されるか置かれ得る。中間回転ノズル３１３は上部バスケット１２ａと下部バスケット１２ｂに収納された食器に向かって直接洗浄水を噴射することができる。
【００７２】
固定ノズル３３０、３４０は回転ノズル３１１、３１３とは異なり、動かないように（すなわち、固定型であるように）配置されるか置かれ得、洗浄槽３０の一側に固定される。例えば、固定ノズル３３０、３４０は概略洗浄槽３０の後壁３２に隣接するように配置され、洗浄槽３０の前方に向かって洗浄水を噴射することができる。したがって、固定ノズル３３０、３４０から噴射された洗浄水は直接食器に向かわないこともあり得、その代わり、後述するように、固定ノズル３３０，３４０によって噴射される洗浄水がベイン４００によって再方向設定され得る。
【００７３】
固定ノズル３３０、３４０から噴射された洗浄水はベイン４００により食器側に反射され得る。固定ノズル３３０、３４０は下部バスケット１２ｂの下に配置され、ベイン４００は固定ノズル３３０、３４０から噴射された洗浄水を上側に反射させることができる。すなわち、固定ノズル３３０、３４０から噴射された洗浄水はベイン４００により下部バスケット１２ｂに収納された食器に向かって反射され得る。
【００７４】
固定ノズル３３０、３４０はそれぞれ洗浄槽３０の左右方向に配列される複数の噴射ホール３３１、３４１を有することができる。複数の噴射ホール３３１、３４１は前方に向かって洗浄水を噴射することができる。図２に示された通り、３つの噴射ホール３３１と３つの噴射ホール３４１がある。しかし、本開示内容はこれに限定されず、各固定ノズルごとに３つより多いか少ない噴射ホールを有し得る各噴射ホールは均等または規則的に分配され得、および／または同一の大きさとなり得、または噴射ホールは不規則的に分配され得、および／または異なる大きさとなり得る。
【００７５】
ベイン４００は固定ノズル３３０、３４０の複数の噴射ホール３３１、３４１から噴射された洗浄水をすべて反射できるように洗浄槽３０の左右方向に長く延長され得る。すなわち、ベイン４００の長さ方向の一端部は洗浄槽３０の左側壁３３に隣接し、ベイン４００の長さ方向の他端部は洗浄槽３０の右側壁３４に隣接するように配置されるか置かれ得る。
【００７６】
このようなベイン４００は固定ノズル３３０、３４０から噴射される洗浄水の噴射方向に沿って線形往復運動することができる（例えば、前後方向に移動できる）。すなわち、ベイン４００は洗浄槽３０の前後方向に沿って線形往復運動することができる。
【００７７】
したがって、このような固定ノズル３３０、３４０とベイン４００を含むリニア噴射構造はデッドスペースなく洗浄槽３０の全領域を洗浄することができる。回転半径の範囲内にのみ洗浄水を噴射できる回転ノズルの場合とは差別される。
【００７８】
固定ノズル３３０、３４０は洗浄槽３０の左側に配置される左側固定ノズル３３０と、洗浄槽３０の右側に配置される右側固定ノズル３４０を含むことができる。しかし、本開示内容はこれに限定されず、食器洗浄器で２つより多い固定ノズルが配置され得る。また、２つより多い固定ノズルが互いに隣接して配置され得る。
【００７９】
後述するが、回転ノズル３１１、３１３と、固定ノズル３３０、３４０は相互独立的に洗浄水を噴射することができる。さらには、左側固定ノズル３３０と、右側固定ノズル３４０も相互独立的に洗浄水を噴射することができる。
【００８０】
左側固定ノズル３３０から噴射された洗浄水はベイン４００により洗浄槽３０の左側領域にのみ反射し、右側固定ノズル３４０から噴射された洗浄水はベイン４００により洗浄槽３０の右側領域にのみ反射され得る。
【００８１】
したがって、食器洗浄器１は洗浄槽３０の左側と右側を独立的に分割洗浄することができる。もちろん、通常の技術者であれば理解できるように、食器洗浄器は、必ずしも左側領域と右側領域に分割する必要はないが、必要に応じてさらに細分して分割できることはいうまでもない。例えば、互いに隣接して配置される２つより多い固定ノズルの場合があり得、洗浄される各領域の個数は固定ノズルの個数に対応できる（例えば、３つの固定ノズルがある場合、左側領域、中間領域、および右側領域にあり得る）。代案として、食器洗浄器１の固定ノズルから噴射される洗浄水中の一部がベインによって、他のノズルから噴射される洗浄水によって主に洗浄され、ベインによって反射される領域内に反射されることも有り得る。
【００８２】
このような本開示内容の実施例に係る食器洗浄器１の各構成要素をさらに詳しく説明する。
【００８３】
図３は図１の食器洗浄器の流路構造を図示した図面である。図４は図１の食器洗浄器の固定ノズルアセンブリーを分解して図示した図面である。図５は図１の食器洗浄器の固定ノズルアセンブリーを図示した断面図である。
【００８４】
図３〜図５を参照して、本開示内容の実施例に係る食器洗浄器の行程、流路構造、固定ノズルアセンブリーの構造および洗浄水分配構造について説明する。
【００８５】
食器洗浄器は給水行程と、洗浄行程と、排水行程と、乾燥行程中の一つ以上を遂行することができる。
【００８６】
給水行程において、給水管（図示せず）を通じて洗浄槽３０内部に洗浄水が給水され得る。洗浄槽３０に給水される洗浄水は洗浄槽３０の底板３５の勾配によって洗浄槽３０の下部に配置されるか置かれたサンプ１００に流動されてサンプ１００に貯水され得る。
【００８７】
洗浄行程において、循環ポンプ５１が稼動されサンプ１００の洗浄水をポンピングするすることができる。循環ポンプ５１によりポンピングされた洗浄水は分配装置２００を通じて回転ノズル３１１、３１３と、左側固定ノズル３３０と、右側固定ノズル３４０に分配され得る。循環ポンプ５１のポンピング力により噴射ノズル３１１、３１３、３３０、３４０から洗浄水が高圧で噴射されて食器を洗浄することができる。
【００８８】
ここで、上部回転ノズル３１１と、中間回転ノズル３１３は第２ホース２７１ｂを通じて分配装置２００から洗浄水の供給を受けることができる。左側固定ノズル３３０は第１ホース２７１ａを通じて分配装置２００から洗浄水の供給を受けることができる。右側固定ノズル３４０は第３ホース２７１ｃを通じて分配装置２００から洗浄水の供給を受けることができる。
【００８９】
本開示内容の思想によれば、分配装置２００は合計４つの分配モードを有するように配置されるか置かれ得る。
【００９０】
第１モードで、分配装置２００は第２ホース２７１ｂを通じて回転ノズル３１１、３１３にのみ洗浄水を供給する。
【００９１】
第２モードで、分配装置２００は第３ホース２７１ｃを通じて右側固定ノズル３４０にのみ洗浄水を供給する。
【００９２】
第３モードで、分配装置２００は第１ホース２７１ａと、第３ホース２７１ｃを通じて左側固定ノズル３３０と、右側固定ノズル３４０にのみ洗浄水を供給する。
【００９３】
第４モードで、分配装置２００は第１ホース２７１ａを通じて左側固定ノズル３３０にのみ洗浄水を供給する。
【００９４】
ただし、分配装置２００は、４つの分配モードよりおおい分配モードを有することができ、または４つの分配モードより少ない分配モードを有することもできる。
【００９５】
噴射ノズル３１１、３１３、３３０、３４０から噴射された洗浄水は食器を打撃（噴射）して食器に付いた飲食、汚物、またはその他の類型の残骸を除去し、飲食、汚物、またはその他の類型の残骸とともに落下して再びサンプ１００に貯水され得る。循環ポンプ５１はサンプ１００に貯水された洗浄水を再びポンピングして循環させる。洗浄行程中に循環ポンプ５１は稼動および停止を数回繰り返すことができる。この過程で洗浄水とともにサンプ１００に落下した飲食、汚物、またはその他の類型の残骸はサンプ１００に装着されたフィルターによって捕集され得、て噴射ノズル３１１、３１３、３３０、３４０に循環されないようにサンプ１００に残留され得る。
【００９６】
排水行程において、排水ポンプ５２が稼動してサンプ１００に残っている汚物と洗浄水を共に本体１０の外部に排水することができる。
【００９７】
乾燥行程において、洗浄槽３０に装着されたヒーター（図示せず）が稼動して食器を乾燥することができる。
【００９８】
左側固定ノズル３３０と、右側固定ノズル３４０の構造について説明する。
【００９９】
左側固定ノズル３３０は洗浄水を噴射する一つ以上の噴射ホール３３１と、噴射ホール３３１に洗浄水を供給するノズル流路３３２と、ノズル流路３３２に洗浄水が流入されるノズル流入口３３３と、外観を形成するノズルボディー３３４と、ノズル流路３３２を形成するようにノズルボディー３３４の後方に結合されるノズルカバー３３５と、ノズルボディー３３４の前方に結合される装飾部材３３６と、左側固定ノズル３３０を後述する底板カバー（６００、図１９）に結合するようにノズルボディー３３４に形成される結合ホール３３７を含むことができる。
【０１００】
右側固定ノズル３４０は洗浄水を噴射する一つ以上の噴射ホール３４１と、噴射ホール３４１に洗浄水を供給するノズル流路３４２と、ノズル流路３４２に洗浄水が流入されるノズル流入口３４３と、外観を形成するノズルボディー３４４と、ノズル流路３４２を形成するようにノズルボディー３４４の後方に結合されるノズルカバー３４５と、ノズルボディー３４４の前方に結合される装飾部材３４６と、右側固定ノズル３４０を後述する底板カバー６００に結合するようにノズルボディー３４４に形成される結合ホール３４７を含むことができる。図５から分かるように、左側固定ノズル３３０の結合ホール３３７は右側固定ノズル３４０の結合ホール３４７に隣接して配置され得る。
【０１０１】
ここで、左側固定ノズル３３０のノズルボディー３３４と、右側固定ノズル３４０のノズルボディー３４４は一体で形成され得る。これに伴い、左側固定ノズル３３０と右側固定ノズル３４０は一体であり得る。
【０１０２】
このように、左側固定ノズル３３０と、右側固定ノズル３４０を一体で設けることによって、左側固定ノズル３３０と、右側固定ノズル３４０を水平に整列することが容易であり、左側固定ノズル３３０と、右側固定ノズル３４０を底板カバー６００に結合することが容易であり得る。
【０１０３】
固定ノズルアセンブリー３２０は左側固定ノズル３３０と、右側固定ノズル３４０を含むことができる。ノズルアセンブリー３００は固定ノズルアセンブリー３２０と、上部回転ノズル３１１と、中間回転ノズル３１３を含むことができる。
【０１０４】
図６は図１の食器洗浄器の分配装置を図示した図面である。図７は図１の食器洗浄器の分配装置の構成を分解して図示した図面である。図８は図１の食器洗浄器の分配装置の開閉部材の構成を分解して図示した図面である。図９は図１の食器洗浄器の分配装置を図示した断面図である。図１０は図９のＡ部分を拡大して図示した図面である。
【０１０５】
図６〜図１０を参照して、本開示内容の実施例に係る食器洗浄器の分配装置２００について説明する。
【０１０６】
分配装置２００は略円筒状を有するように形成され得、製造され得、または構成され得る。
【０１０７】
分配装置２００は概略中空の円筒状を有し、外観を形成するハウジング２１０と、ハウジング２１０の内部に回転可能に配置されるか置かれる開閉部材２２０と、開閉部材２２０を回転させるモーター２３０と、モーター２３０とハウジング２１０を支持する支持部材２６０と、開閉部材２００とともに回転するようにモーター２３０と開閉部材２００に結合されるカム部材２４０と、開閉部材２００の回転位置を感知するようにカム部材２４０に接触するマイクロスイッチ２５０を含むことができる。
【０１０８】
ハウジング２１０は洗浄槽３０の両側壁（３３、３４、図２）方向に長く配置され得る。以下において、ハウジング２１０の長さ方向を軸方向という。ハウジング２１０の軸方向一端部にはハウジング２１０の内部に洗浄水が流入されるインレット２１１が形成される。ハウジング２１０の軸方向他端部にはモーター２３０が配置され得る。
【０１０９】
具体的にインレット２１１は洗浄槽３０の右側壁３４に向かうように配置されるか置かれ得る。インレット２１１には循環ポンプ５１が連結され得る。したがって、循環ポンプ５１が稼動するとサンプ１００に貯水された洗浄水がインレット２１１を通じてハウジング２１０の内部に流入され得る。
【０１１０】
ハウジング２１０の円周面には複数のアウトレット２１２ａ、２１２ｂ、２１２ｃが形成される。複数のアウトレット２１２ａ、２１２ｂ、２１２ｃは軸方向に沿って一定間隔で配列され得る。複数のアウトレット２１２ａ、２１２ｂ、２１２ｃは第１アウトレット２１２ａと、第２アウトレット２１２ｂと、第３アウトレット２１２ｃを含むことができる。代案として、複数のアウトレットが不規則的に配列されることもある。また、または代案として、複数のアウトレットは洗浄水が流れる同一直径または互いに異なる直径を有し得る。
【０１１１】
ここで、複数のアウトレット２１２ａ、２１２ｂ、２１２ｃは洗浄槽３０の後壁（３２、図２）に向かうように配置されるか置かれ得る。このように、複数のアウトレット２１２ａ、２１２ｂ、２１２ｃが洗浄槽３０の後壁３２に向かうように配置されるか置かれ得る理由は、本開示内容の実施例に係る分配装置２００のハウジング２１０が円筒状を有し、ハウジング２１０が両側壁３３、３４方向に長く配置され得、開閉部材２２０がハウジング２１０の軸方向を中心に回転してアウトレット２１２ａ、２１２ｂ、２１２ｃを開閉する構造であるためである。
【０１１２】
換言すれば、従来の食器洗浄器で一般的に使われる分配装置は半球状のハウジングと、ハウジングの上部に回転可能に配置されるか置かれる平板ディスクタイプの開閉装置を含むことができるため、アウトレットを分配装置の上部に配置するか置かざるを得ない構造である。すなわち、従来の分配装置では、アウトレットが、食器洗浄器の上部を向くようにハウジングの上側部分に配置される。したがって、アウトレットに連結された流路は、流路路がアウトレットから始まってすぐに後方に急激に撓む。
【０１１３】
前記のように、本開示内容の実施例に係る分配装置２００はそのアウトレット２１２ａ、２１２ｂ、２１２ｃが洗浄槽３０の後壁３２に向かうように配置されるか置かれるため、分配装置２００で洗浄槽３０の後壁３２に隣接するように配置された固定ノズル３３０、３４０に供給される洗浄水の圧力損失が低減されるという長所を有する。
【０１１４】
なぜならば、アウトレット２１２ａ、２１２ｂ、２１２ｃと固定ノズル３３０、３４０を連結する流路が急な折り曲げ部を有さずに緩やかに形成され得るためである。
【０１１５】
反対に、アウトレットが分配装置の上側に向かうように配置されるか置かれた従来の分配装置を本開示内容の実施例に係る固定ノズル３３０、３４０に適用すると、アウトレットに連結された流路は始まってすぐに後方側に急に折り曲げられなければならないため、圧力損失が大きくなる。
【０１１６】
第１アウトレット２１２ａと、第２アウトレット２１２ｂと、第３アウトレット２１２ｃは洗浄槽３０の左側から右側方向に順に配列され得る。
【０１１７】
すなわち、第１アウトレット２１２ａは相対的に左側固定ノズル３３０に近く配置され得、第３アウトレット２１２ｃは相対的に右側固定ノズル３４０に近く配置され得、第２アウトレット２１２ｂはその中に（例えば、中間に）配置され得る。
【０１１８】
第１アウトレット２１２ａは第１ホース（２７１ａ、図３）を通じて左側固定ノズル３３０に連結され得る。第２アウトレット２１２ｂは第２ホース（２７１ｂ、図３）を通じて回転ノズル３１１、３１３に連結され得る。第３アウトレット２１２ｃは第３ホース（２７１ｃ、図３）を通じて右側固定ノズル３４０に連結され得る。
【０１１９】
このように、それぞれのアウトレット２１２ａ、２１２ｂ、２１２ｃは相対的に自分に近い噴射ノズル３１１、３１３、３３０、３４０に連結されるため、ホース２７１ａ、２７１ｂ、２７１ｃの長さが短くなって絡みが発生せず、洗浄水の圧力損失が低減され得る。
【０１２０】
ハウジング２１０にはサンプ１００に結合されるためのサンプ結合部２１３が配置されるか置かれ得、サンプ１００にはサンプ結合部２１３に結合される分配装置結合部（１０９、図３）が配置されるか置かれ得る。本開示内容の思想によれば、サンプ結合部２１３は溝形状で配置されるか置かれ得、分配装置結合部１０９は突起の形状で配置されるか置かれる。サンプ結合部２１３と分配装置結合部１０９が結合されることで、分配装置２００とサンプ１００の位置が整列され得る。
【０１２１】
開閉部材２２０はハウジング２１０の内部でハウジング２１０の軸方向を中心に回転しながらアウトレット２１２ａ、２１２ｂ、２１２ｃを選択的に開閉する。したがって、開閉部材２２０は実質的に噴射ノズル３１１、３１３、３３０、３４０に洗浄水を分配する役割を遂行する。
【０１２２】
開閉部材２２０は概略的にまたは実質的に中空の円筒状を有する。開閉部材２２０はハウジング２１０の内部で回転する回転ボディー２２１と、アウトレット２１２ａ、２１２ｂ、２１２ｃを閉鎖するように回転ボディー２２１に結合されるシーリング部材２２５を含むことができる。
【０１２３】
回転ボディー２２１の円周面には連通ホール２２２が形成され得る。各連通ホールは例えば円形の形状であり得る。しかし、本開示内容はこれに限定されず、連通ホールは互いに異なる形状を有し得る（例えば、卵状、正方形、三角形など）。連通ホール２２２はアウトレット２１２ａ、２１２ｂ、２１２ｃに対応するように位置される場合にアウトレット２１２ａ、２１２ｂ、２１２ｃに洗浄水が円滑に流出されるようにすることができる。
【０１２４】
また、回転ボディー２２１の円周面には、開閉部材２２０がハウジング２１０の内部で回転する時にハウジング２１０との摩擦を最小化して開閉部材２２０が円滑に回転できるように、ハウジング２１０の内周面と、回転ボディー２２２の外周面を所定間隙離隔させる離隔突起２２４が形成され得る。離隔突起２２４によりハウジング２１０の内周面と、回転ボディー２２２の外周面は常に一定間隔を有するように維持され得る。
【０１２５】
また、回転ボディー２２１の円周面にはシーリング部材２２５が結合される係止ホール２２３が形成され得る。係止ホール２２３にはシーリング部材２２５の係止突起部２２７が結合される。係止ホール２２３はシーリング部材２２５の係止突起部２２７の形状に対応して互いに異なる形状を有することができる。
【０１２６】
一例として、中央の係止ホール２２３は概略十の字の形状を有し、両側の係止ホール２２３は一の字の形状を有するように配置されるか置かれ得る。同じように、中央のシーリング部材２２５の係止突起部２２７は十の字の形状を有し、両側の係止突起部２２７は一の字の形状を有するように配置されるか置かれ得る。
【０１２７】
このように各形状が異なって配置されるか置かれる理由は、組み立て時に中央に結合されるシーリング部材２２５と、両側に結合されるシーリング部材２２５の形状が異なる場合にこれを容易に識別するためである。代案として、中間にあるシーリング部材２２５は一直線形状の係止突起部と係止溝を有し得る。代案として、互いに異なる形状を使用することもできる。
【０１２８】
回転ボディー２２１の軸方向両端部のうち、ハウジング２２０のインレット２１１に対応する一端部は開放される。回転ボディー２２１の軸方向両端部のうち、残りの他端部にはカム部材２４０のカムシャフト２４１が結合されるカムシャフト結合部２２９が配置されるか置かれ得る。
【０１２９】
シーリング部材２２５はアウトレット２１２ａ、２１２ｂ、２１２ｃを閉鎖するように回転ボディー２２１の円周面に結合され得る。シーリング部材２２５は回転ボディー２２１の係止ホール２２３に結合され得る。シーリング部材２２５は回転ボディー２２１の係止ホール２２３に半径方向に多少移動可能に結合される。これはシーリング部材２２５がアウトレット２１２ａ、２１２ｂ、２１２ｃに密着してアウトレット２１２ａ、２１２ｂ、２１２ｃのシーリングを強化するためである。
【０１３０】
すなわち、シーリング部材２２５は回転ボディー２２１に密着される開放位置と、アウトレット２１２ａ、２１２ｂ、２１２ｃに密着される閉鎖位置の間で移動する。シーリング部材２２５はハウジング２１０の内部に洗浄水が流入されると、洗浄水の水圧によって開放位置から閉鎖位置に自然に移動することができる。したがって、アウトレット２１２ａ、２１２ｂ、２１２ｃの密閉力が向上し、分配装置２００の信頼性が向上され得る。
【０１３１】
シーリング部材２２５はアウトレット２１２ａ、２１２ｂ、２１２ｃに密着されるように曲面の形状を有するシーリング部（２２６、図８）と、回転ボディー２２１の係止ホール２２３に挿入されるようにシーリング部２２６から突出する係止突起部２２７を含む。
【０１３２】
シーリング部材２２５が半径方向に移動できるように係止突起部２２７と係止ホール２２３は多少遊びを有するように配置されるか置かれ得る。その代わり、係止突起部２２７の端部にはシーリング部材２２５が係止ホール２２３から完全に離脱されることを防止するように、係止ホール２２３よりも大きい直径を有するストッパー部２２８が形成され得る。
【０１３３】
シーリング部材２２５は樹脂材質で一体で形成され得る。シーリング部材２２５は係止突起部２２７を強く加圧して係止ホール２２３に挿入する方式で容易に回転ボディー２２１に組み立てることができ、組み立てられた後はストッパー部２２８が係止ホール２２３に係止され、手動で（例えば、使用者（例えば、修理工）の手で）力を加えない限り回転ボディー２２１から離脱されない。
【０１３４】
図１１は図１の食器洗浄器の分配装置を図示した側面図である（モーターは省略される）。図１２は図１の食器洗浄器の分配装置のカム部材を拡大して図示した図面である。図１３は図１の食器洗浄器の分配装置のマイクロスイッチのオンおよびオフの時間と、開閉部材の回転位置の関係を図示した図面である。図１４は図１の食器洗浄器の分配装置の動作を図示した図面であって、第２アウトレットだけが開放されて回転ノズルにのみ洗浄水が分配される動作を図示した図面である。図１５は図１の食器洗浄器の分配装置の動作を図示した図面であって、第３アウトレットだけが開放されて右側固定ノズルにのみ洗浄水が分配される動作を図示した図面である。図１６は図１の食器洗浄器の分配装置の動作を図示した図面であって、第１アウトレットと、第３アウトレットだけが開放されて左側固定ノズルと、右側固定ノズルにのみ洗浄水が分配される動作を図示した図面である。図１７は図１の食器洗浄器の分配装置の動作を図示した図面であって、第１アウトレットだけが開放されて左側固定ノズルにのみ洗浄水が分配される動作を図示した図面である。
【０１３５】
図１１〜図１７を参照して、本開示内容の実施例に係る分配装置の動作について説明する。
【０１３６】
モーター２３０が作動すると、モーターシャフト２３１を通じて回転力がカム部材２４０に伝達されて、カム部材２４０が回転する。モーター２３０は一方向にのみ回転する一方向モーターであり得る。
【０１３７】
便宜上、図１２を基準として、カム部材２４０が回転中心２４２を中心に時計回り方向に回転すると仮定する。カム部材２４０が回転するとカムシャフト２４１を通じて回転力が開閉部材２２０に伝達されて開閉部材２２０が共に回転する。しかし、本開示内容はこれに限定されず、カム部材２４０は他の方向に（例えば、反時計方向に）回転することができる。
【０１３８】
カム部材２４０にはマイクロスイッチ２５０の接触端子２５１が接触するように配置されるか置かれ得る。カム部材２４０はマイクロスイッチ２５０をオンおよびオフさせるように半径方向に突出される凸部２４３ａ、２４３ｂ、２４３ｃと、半径方向に陥没される凹部２４４ａ、２４４ｂ、２４４ｃを含むことができる。
【０１３９】
凸部２４３ａ、２４３ｂ、２４３ｃは反時計回り方向に順に配列された第１凸部２４３ａ、第２凸部２４３ｂ、第３凸部２４３ｃを含むことができ、凹部２４４ａ、２４４ｂ、２４４ｃは反時計回り方向に順に配列された第１凹部２４４ａ、第２凹部２４４ｂ、第３凹部２４４ｃを含むことができる。
【０１４０】
マイクロスイッチ２５０は接触端子２５１がカム部材２４０の凸部２４３ａ、２４３ｂ、２４３ｃに接触するときにオンとなり、カム部材２４０の凹部２４４ａ、２４４ｂ、２４４ｃに接触するときにオフとなるように配置されるか置かれると仮定する。したがって、モーター２３０が駆動すると、マイクロスイッチ２５０はかわるがわるオンおよびオフとなり得る。
【０１４１】
一方、分配装置２００はマイクロスイッチ２５０のオンおよびオフの時間により開閉部材２２０の回転位置を指定し、開閉部材２２０を指定された回転位置の中で必要な特定回転位置に回転させるようにモーター２３０を回転させるか停止させる制御部をさらに含むことができる。制御部は電子回路で構成され得、一つ以上のプロセッサーを含むことができる。
【０１４２】
一例として、制御部は、図１３に図示された通り、開閉部材２２０の６つの回転位置（Ｐ１、Ｐ２、Ｐ３、Ｐ４、Ｐ５、Ｐ６）を指定することができる。
【０１４３】
制御部はマイクロスイッチ２５０が５秒の間オンとなってからオフとなる時点での開閉部材２２０の回転位置を開閉部材２２０の６つの回転位置（Ｐ１、Ｐ２、Ｐ３、Ｐ４、Ｐ５、Ｐ６）の中で第１回転位置（Ｐ１）と指定することができる。
【０１４４】
本開示内容の思想によれば、マイクロスイッチ２５０が５秒の間オンとなってからオフとなる時点は唯一であるため、マイクロスイッチ２５０が５秒の間オンとなる区間は基準リセット区間に対応することができる。
【０１４５】
また、約５秒の間オンとなり、約５秒の間オフとなってから再びオンとなる時点での開閉部材２２０の回転位置を第２回転位置（Ｐ２）と指定することができる。
【０１４６】
このような方式で第１回転位置（Ｐ１）から第６回転位置（Ｐ６）まで指定することができる。
【０１４７】
開閉部材２２０の６つの回転位置（Ｐ１、Ｐ２、Ｐ３、Ｐ４、Ｐ５、Ｐ６）でマイクロスイッチ２５０の接触端子２５１はそれぞれ図１２に図示した接触端子位置（Ｔ１、Ｔ２、Ｔ３、Ｔ４、Ｔ５、Ｔ６）に位置することになる。
【０１４８】
制御部にはこのようなマイクロスイッチ２５０のオンおよびオフの時間による開閉部材２２０の回転位置情報がロムの形態でメモリに（例えば、ＲＯＭタイプに）あらかじめ保存されていることがある。
【０１４９】
また、制御部には開閉部材２２０のそれぞれの回転位置による分配装置２００のアウトレット２１２ａ、２１２ｂ、２１２ｃの開閉情報と、アウトレット２１２ａ、２１２ｂ、２１２ｃの開閉による噴射ノズル３１１、３１３、３３０、３４０の噴射情報もロム形態であらかじめ保存されていることがある。
【０１５０】
したがって、使用者が使用しようとする特定噴射ノズル３１１、３１３、３３０、３４０を入力するか選択すると、制御部は使用者の入力または選択より開閉すべきアウトレット２１２ａ、２１２ｂ、２１２ｃを決定し、それにより開閉部材２２０の特定回転位置を決めることができる。
【０１５１】
制御部は開閉部材２２０を決定された特定回転位置に回転させるためにモーター２３０を駆動させ、開閉部材２２０が決定された特定回転位置に回転完了するとモーター２３０の駆動を停止させることができる。
【０１５２】
本開示内容の思想によれば、開閉部材２２０が第１回転位置（Ｐ１）にある時、図１４に図示された通り、第２アウトレット２１２ｂだけが開放され、したがって、回転ノズル３１１、３１３にのみ洗浄水が分配され得る。
【０１５３】
開閉部材２２０が第２回転位置（Ｐ２）にある時、図１５に図示された通り、第３アウトレット２１２ｃだけが開放され、したがって、右側固定ノズル３４０にのみ洗浄水が分配され得る。
【０１５４】
開閉部材２２０の第３回転位置（Ｐ３）と、第４回転位置（Ｐ４）は使わない。
【０１５５】
開閉部材２２０が第５回転位置（Ｐ５）にある時、図１６に図示された通り、第１アウトレット２１２ａと第３アウトレット２１２ｃだけが開放され、したがって、左側固定ノズル３３０と、右側固定ノズル３４０にのみ洗浄水が分配され得る。
【０１５６】
開閉部材２２０が第６回転位置（Ｐ６）にある時、図１７に図示された通り、第１アウトレット２１２ａだけが開放され、したがって、左側固定ノズル３３０にのみ洗浄水が分配され得る。
【０１５７】
図１８は図１の食器洗浄器の洗浄槽の底板と、底板カバーと、モーターを分解して図示した図面である。図１９は図１の食器洗浄器の底板と、底板カバーと、モーターの断面図である。図２０は図１の食器洗浄器のベインと、レールアセンブリーと、噴射ノズルアセンブリーと、底板カバーを分解して図示した図面である。
【０１５８】
図１８〜図２０を参照して、本開示内容の実施例に係る食器洗浄器の底板カバーについて説明する。
【０１５９】
食器洗浄器１は洗浄槽３０の底板３５に、後方一側に結合される底板カバー６００を含むことができる。
【０１６０】
底板カバー６００は底板３５に形成されるモーター通過ホール３７および流路通過ホール３８をシーリングする役割と、ベイン４００を駆動するモーター５３０を支持する役割と、食器洗浄器１のレールアセンブリー４３０と、ノズルアセンブリー３００を固定する役割を遂行することができる。
【０１６１】
ここで、前述した通り、ノズルアセンブリー３００は上部回転ノズル３１１と、中間回転ノズル３１３と、左側固定ノズル３３０と、右側固定ノズル３４０を含むことができる。
【０１６２】
レールアセンブリー４３０はベイン４００の移動を案内できるものであって、レールアセンブリー４３０の構成例は後述する。
【０１６３】
底板３５の後方には底板カバー６００が結合するように突出された底板突出部３６が形成され得る。底板突出部３６にはベイン４００を駆動するためのモーター５３０が通過するモーター通過ホール３７と、ノズルアセンブリー３００と分配装置（２００、図３）を連結する流路が通過する流路通過ホール３８が形成され得る。
【０１６４】
モーター５３０は底板カバー６００の底面に装着され得、底板カバー６００を底板３５から分離する時にモーター５３０はモーター通過ホール３７を通じて底板カバー６００とともに引き出され得る。
【０１６５】
例えば、流路通過ホール３８には底板カバー６００の複数のホース連結部が通過することができる。
【０１６６】
底板カバー６００はモーター５３０の駆動シャフト５３１が通過するシャフト通過ホール６４０と、分配装置２００で延長されたホース２７１ａ、２７１ｂ、２７１ｃが結合されるように下へ突出して底板突出部３６の流路通過ホール３８に挿入されるホース連結部と、ノズルアセンブリー３００の流入口３１５、３３３、３４３が結合されるように上に突出されるノズル流入口連結部６５１ａ、６５１ｂ、６５１ｃと、ノズルアセンブリー３００とレールアセンブリー４３０を固定するための締結ホール６２０と、ベイン４００の回転をガイドするように突出される一つ以上の回転ガイド６１０を含むことができる。図１８と図１９に示した通り、ホース連結部６５２ｂ、６５２ｃはホース２７１ｂ、２７１ｃに対応する。図面では見えない追加のホース連結部も、ホース２１７ａに対応し、のずる流入口連結部６５１ａの下に配置される。
【０１６７】
底板カバー６００は底板突出部３６の表面に密着結合され得る。底板カバー６００のホース連結部には固定キャップ６８０が結合されて底板カバー６００が底板突出部３６に固定され得る。
【０１６８】
底板カバー６００と、底板突出部３６の間には底板突出部３６のモーター通過ホール３７と、流路通過ホール３８を通じて洗浄槽３０内部の洗浄水が漏洩しないようにシーリング部材６７０が配置されるか置かれ得る。シーリング部材６７０は、例えばゴム材質で形成され得る。
【０１６９】
底板カバー６００の底面にはベイン４００を駆動させるモーター５３０が装着されるモーター装着部６３０が配置されるか置かれ得る。モーター５３０の駆動シャフト５３１は底板カバー６００のシャフト通過ホール６４０を貫通して洗浄槽３０の内部に突出され得る。モーター５３０の駆動シャフト５３１には後述する駆動プーリー（５００、図２１）が結合されて駆動シャフト５３１とともに回転することができる。
【０１７０】
シャフト通過ホール６４０にはシャフト通過ホール６４０に洗浄槽３０内部の洗浄水が漏洩しないようにシーリング部材６６０が配置されるか置かれ得る。シーリング部材６６０は駆動シャフト５３１の円滑な回転とともにシーリングがなされるようにするメカニカルシーリング装置であり得る。図１９から分かるように、シャフト５３１の一部はシャフト通過ホール６４０とシーリング部材６６０を通じて突出することができる。
【０１７１】
底板カバー６００の表面は基準水平面（Ｈ、図１９）を基準として所定の角度（θ、図１９）で傾斜するように配置されるか置かれ得る。
【０１７２】
これは底板カバー６００の上に残骸（例えば、飲食、汚物など）が積もったり、固定噴射ノズル３３０、３４０側に進行されることを防止するためである。本開示内容の実施例に係る食器洗浄器１おいて、固定噴射ノズル３３０、３４０は回転ノズル３１１、３１３とは異なって動かないため、残骸（例えば、飲食、汚物など）が残存および停滞され得るところ、前記のような構造によって残骸（例えば、飲食、汚物など）のこのような問題が発生することを防止することができる。
【０１７３】
底板カバー６００の表面と基準水平面（Ｈ）との傾斜角（θ）は概略３°以上であることが好ましい。
【０１７４】
また、底板カバー６００の端部は底板３５と所定間隙（Ｓ、図１９）離隔されるように配置されるか置かれ得る。これは製造および組立上の誤差によって底板カバー６００を底板３５と完全に密着させることが難しく、かえって底板カバー６００の端部と、底板３５の間に形成される微細な隙間に残骸（例えば、飲食、汚物など）が挟まれることを防止するためである。底板カバー６００の端部と底板３５との間隙（Ｓ）は概略５ｍｍ以上であることが好ましい。
【０１７５】
底板カバー６００にはレールアセンブリー４３０と、ノズルアセンブリー３００が結合され得る。底板カバー６００と、レールアセンブリー４３０と、ノズルアセンブリー３００は締結部材６９０により堅固に固定され得る。このために、底板カバー６００と、レールアセンブリー４３０と、ノズルアセンブリー３００にはそれぞれ対応される位置に締結ホール（結合ホール）６２０、４５３、３３７、３４７が形成され得る。締結部材６９０は例えば、一つ以上のスクリューを含むことができる。締結部材は、また、例えばボルト、ピン、リベット、アンカー、接着剤などを含むことができる。
【０１７６】
このような構造によって、レールアセンブリー４３０と、ノズルアセンブリー３００が相互固定され、相互整列され得る。
【０１７７】
本開示内容の実施例に係る食器洗浄器１において、ノズルアセンブリー３００の固定噴射ノズル３３０、３４０から噴射される洗浄水は、直接食器に向かわないことができ、レールアセンブリー４３０に結合されるベイン４００により反射されて食器に向かうことができるため、好ましくは固定噴射ノズル３３０、３４０とレールアセンブリー４３０の正確な位置整列が要求されるところ、このような結合構造を通じてこのような要求や選り好みを満たすことができる。
【０１７８】
図２１は図１の食器洗浄器のベインと、駆動装置を図示した図面であって、駆動装置の構成を分解して図示した図面である。図２２は図１の食器洗浄器のベルトと、ベルトホルダーを図示した図面である。図２３は図１の食器洗浄器のレールと、ベルトと、ベルトホルダーと、ベインホルダーを図示した断面図である。図２４は図１の食器洗浄器のレールと、ベルトと、駆動プーリーと、リアホルダーを図示した図面である。図２５は図１の食器洗浄器のレールと、ベルトと、駆動プーリーと、リアホルダーを図示した断面図である。図２６は図１の食器洗浄器のレールと、ベルトと、アイドルプーリーと、フロントホルダーを図示した図面である。図２７は図１の食器洗浄器のレールと、ベルトと、アイドルプーリーと、フロントホルダーを図示した断面図である。
【０１７９】
図２１〜図２７を参照して、本開示内容の実施例に係る食器洗浄器のベインと、その駆動装置について説明する。
【０１８０】
本開示内容の実施例に係る食器洗浄器１は固定ノズル３３０、３４０から噴射された洗浄水を反射させるベイン４００を含むことができる。ベイン４００は固定噴射ノズル３３０、３４０から洗浄水が噴射される方向におよび／または固定噴射ノズル３３０、３４０から噴射される洗浄水の噴射方向に反対側の方向に線形往復運動（移動）することができる。
【０１８１】
本開示内容の実施例に係る食器洗浄器１はベイン４００を線形往復運動させる駆動装置４２０を含むことができる。
【０１８２】
駆動装置４２０は駆動力を発生させるモーター５３０と、ベイン４００の移動を案内するレールアセンブリー４３０を含む。
【０１８３】
レールアセンブリー４３０はベイン４００の移動を案内し、内部空間４４１を有するレール４４０と、モーター５３０に連結されて回転する駆動プーリー５００と、駆動プーリー５００に連結されて回転し、レール４４０の内部空間４４１に配置されるベルト５２０と、ベルト５２０を回転可能に支持するようにベルト５２０に連結されるアイドルプーリー５１０と、ベルト５２０に結合されて線形往復運動するようにレール４００の内部空間４４１に配置されるベルトホルダー４８０と、ベルトホルダー４８０に結合されて線形往復運動するようにレール４００の外部に配置されてベイン４００が結合されるベインホルダー４９０と、駆動プーリー５００を回転可能に支持してレール４４０の後段部に結合されるリアホルダー４５０と、アイドルプーリー５１０を回転可能に支持してレール４４０の前端部に結合されるフロントホルダー４６０を含むことができる。
【０１８４】
レール４４０は金属材質で形成され得る。レール４４０は洗浄槽３０の左側壁３３と右側壁３４を基準として真ん中に前後方向に長く延長されるように配置されるか置かれ得る。
【０１８５】
レール４４０は概略下部に開口４４５が形成された管の形状を有することができる。すなわち、レール４４０は内部空間４４１と、上部壁４４２と、下部壁４４４と、両側壁４４３と、下部壁４４４に形成された下部開口４４５を含むことができる。下部開口４４５はレール４４０の長さ方向の一端部から他端部まで延長され得る。
【０１８６】
レール４４０をこのように管の形状に配置するか置く理由は、ベルト５２０がレール４００の内部空間４４１に配置されるようにすることによって、ベルト５２０が洗浄槽３０の食器に接触して駆動を妨害され得、および／または洗浄槽３０の洗浄水に接触して腐食されることを防止できるようにするためである。
【０１８７】
また、レール４４０の下部壁４４４に開口４４５を形成することができる理由は、レール４４０の内部空間４４１に配置されたベルト５２０と、レール４００の外部に配置されるか置かれるベイン４００を連結してベルト５２０の駆動力をベイン４００に伝達するためである。
【０１８８】
ベルト５２０は駆動プーリー５００と、アイドルプーリー５１０に巻かれて閉曲線を形成することができる。モーター５３０が駆動されるとモーター５３０の回転方向により回転運動することができる。このようなベルト５２０は、例えば、引張強度と費用などを考慮してアラミド繊維を含む樹脂材質で形成され得る。
【０１８９】
ベルト５２０の内側面にはベルト５２０の駆動力をベルトホルダー４８０に伝達する歯形５２１が形成され得る。
【０１９０】
ベルトホルダー４８０はベルト５２０と同様にレール４００の内部空間４４１に配置され得、ベルト５２０の歯形５２１に結合されてベルト５２０とともに運動することができる。このために、ベルトホルダー４８０はベルト５２０の歯形５２１に結合される歯形結合部４８１を有することができる。
【０１９１】
また、ベルトホルダー４８０はレール４００に支持されるレッグ４８２、４８３を含むことができる。レッグ４８２、４８３は側方に突出されてレール４００の側壁４４３に支持される少なくとも一つの側方レッグ４８２と、下方に突出されてレール４００の下部壁４４４に支持される少なくとも一つの下部レッグ４８３を含むことができる。
【０１９２】
側方レッグ４８２はベルトホルダー４８０の移動時にレール４００との衝突および摩擦による騒音および振動を低減し、ベルトホルダー４８０が円滑に移動することができるように弾性変形可能に配置されるか置かれ得る。
【０１９３】
側方レッグ４８２は一種の板スプリングの種類の弾性体であり得る。すなわち、側方レッグ４８２は弛緩形状と圧縮形状間で弾性変形される曲面板を含むことができる。
【０１９４】
また、ベルトホルダー４８０はベインホルダー４９０との結合のための締結部４８４を有することができる。締結部４８４は締結部材４９６が挿入され得る締結ホール４８５を含むことができる。締結部材４９６は例えば一つ以上のスクリューを含むことができる。締結部材は、また、例えば、ボルト、ピン、リセット、アンカー、接着剤などを含むことができる。
【０１９５】
ベインホルダー４９０はベルトホルダー４８０に結合されてベルトホルダー４８０とともに運動することができ、ベルトホルダー４８０の駆動力をベイン４００に伝達することができる。ベインホルダー４９０はレール４４０の外側面を囲むように配置されるか置かれ得る。
【０１９６】
ベインホルダー４９０はレール４４０の下部開口４４５を通じてベルトホルダー４８０に結合され得る。このために、ベインホルダー４９０はベルトホルダー４８０との結合のための締結ホール４９１を有することができる。したがって、ベインホルダー４９０の締結ホール４９１と、ベルトホルダー４８０の締結ホール４８５に締結部材４９６を締結することによってベインホルダー４９０と、ベルトホルダー４８０を結合することができる。締結部材４９６は例えば一つ以上のスクリューを含むことができる。締結部材は、また、例えば、ボルト、ピン、リセット、アンカー、接着剤などを含むことができる。
【０１９７】
締結部材４９６は下から上に向かって進行され、ベインホルダー４９０の締結ホール４９１と、ベルトホルダー４８０の締結ホール４８５に順に締結され得る。
【０１９８】
ベインホルダー４９０にはベイン４００が分離可能に結合される結合突起部４９３が形成され得る。結合突起部４９３は側方に突出される結合軸部４９４と、ベイン４００の離脱を防止するように結合軸部４９４の端部に形成される離脱防止部４９５を含むことができる。
【０１９９】
図２８を参照すると、離脱防止部４９５は結合軸部４９４よりも大きい直径を有することができる。結合突起部４９３はベインホールダー４９０の一側面または両側面上に配置され得、その一側面または両側面から突出され得る。結合突起部４９３は、洗浄槽３０の左側および／または右側に向かってベインホールダー４９０から外側に突出できる。
【０２００】
駆動プーリー５００は回転軸５０１と、モーター５３０の駆動シャフト５３０に連結されて駆動力を伝達されるシャフト連結部５０３と、ベルト５２０が結合されるベルト結合部５０２を含むことができる。
【０２０１】
図２４と図２５を参照すると、リアホルダー４５０は駆動プーリー５００を回転可能に支持することができ、レール４４０の後端部に結合され得る。リアホルダー４５０は駆動プーリー５００の回転軸５０１を支持するプーリー支持面４５１と、レール４４０の後端部を支持するレール支持面４５２と、底板カバー６００に結合されるための締結ホール（結合ホール）４５３を含むことができる。
【０２０２】
図２６と図２７を参照すると、アイドルプーリー５１０は回転軸５１１と、ベルト５２０が結合されるベルト結合部５１２を含むことができる。
【０２０３】
フロントホルダー４６０はフロントトップホルダー４６１と、フロントトップホルダー４６１の下部に結合されるフロントボトムホルダー４６５と、フロントトップホルダー４６１とフロントボトムホルダー４６５の間にレール４４０の長さ方向に沿って移動可能に配置されるか置かれ、アイドルプーリー５１０を回転可能に支持するプーリーブラケット４６７を含むことができる。
【０２０４】
フロントトップホルダー４６１はアイドルプーリー５１０の回転軸５１１を支持するプーリー支持面４６２と、レール４４０の前端部を支持するレール支持面４６３を含むことができる。
【０２０５】
フロントボトムホルダー４６５は係止構造によってフロントトップホルダー４６１の下部に結合され得る。フロントボトムホルダー４６５は洗浄槽３０の底板３５に結合される結合突起４６６を有することができる。
【０２０６】
プーリーブラケット４６７はアイドルプーリー５１０の回転軸５１１を支持するプーリー支持面４６８を含むことができる。
【０２０７】
一方、レール４４０と、ベルト５２０と、駆動プーリー５００と、リアホルダー４５０と、アイドルプーリー５１０と、フロントホルダー４６０はベルト５２０の張力によって相互組み立てられ得る。
【０２０８】
すなわち、ベルト５２０の張力によって駆動プーリー５００がレール４４０に近づく方向に加圧され得、この力はリアホルダー４５０のプーリー支持面４５１を通じてリアホルダー４５０に伝達され得る。結果的にリアホルダー４５０がレール４４０の後端部に密着結合されることになる。
【０２０９】
また、ベルト５２０の張力によってアイドルプーリー５１０がレール４４０に近づく方向に加圧され得、この力はフロントホルダー４６０のプーリー支持面４６２を通じてフロントホルダー４６０に伝達され得る。結果的にフロントホルダー４６０がレール４４０の前端部に密着結合されることになる。
【０２１０】
一方、フロントホルダー４６０はベルト５２０の張力維持を有限弾性部材４７０をさらに含むことができる。これは、ベルト５２０が洗浄槽３０内部の熱気によって熱膨張するとベルト５２０が延びてベルト５２０の張力が減少し、ベルト５２０の張力が減少するとベイン４００が円滑に駆動されないこともあるためである。
【０２１１】
弾性部材４７０の一端部はフロントホルダー４６０に支持され得、弾性部材４７０の他端部はプーリーブラケット４６７に支持され得る。このために、フロントホルダー４６０と、プーリーブラケット４６７にはそれぞれ弾性部材支持面４６４、４６９が形成され得る。
【０２１２】
例えば、弾性部材４７０は圧縮スプリングであり得る。フロントホルダー４６０はレール支持面４６３によりレール４４０に支持されるため、弾性部材４７０の弾性力はプーリーブラケット４６７に作用することができる。すなわち、弾性部材４７０の弾性力によってプーリーブラケット４６７はレール４４０から遠くなる方向に加圧され得る。
【０２１３】
このとき、プーリーブラケット４６７はベルト５２０の張力によってレール４４０に近づく方向に加圧されているため、プーリーブラケット４６７はベルト５２０の張力と、弾性部材４７０の弾性力が均衡をなす位置に移動することになる。
【０２１４】
すなわち、ベルト５２０が延びて張力が減少され、弾性部材４７０の弾性力がベルト５２０の張力より大きくなると、プーリーブラケット４６７は弾性部材４７０の弾性力によってレール４４０から遠くなる方向に移動され、このようにプーリーブラケット４６７がレール４４０から遠くなる方向に移動するとベルト５２０が再びぴんと張るように引っ張られベルト５２０の張力が回復される。
【０２１５】
このような構成で、熱膨張によってベルト５２０が延びる場合にもプーリーブラケット４６７が移動してベルト５２０を引っ張ることによってベルト５２０の張力を一定に維持することができ、駆動装置４２０の信頼性が向上され得る。
【０２１６】
本開示内容の実施例に係る食器洗浄器のレールアセンブリー４３０の組立順序を説明する。
【０２１７】
図２２に図示された通り、ベルト５２０にベルトホルダー４８０を結合することができる。
【０２１８】
図２３に図示された通り、ベルト５２０とベルトホルダー４８０の組立体をレール４４０の内部空間４４１に配置することができる。次に、ベルト５２０とベルトホルダー４８０の組立体にベインホルダー４９０を締結部材４９６を通じて結合することができる。
【０２１９】
図２４に図示された通り、レール４４０の長さ方向後端部にリアホルダー４５０を組み立てる。次に、ベルト５２０に駆動プーリー５００を結合することができる。
【０２２０】
図２６に図示された通り、レール４４０の長さ方向前端部にフロントトップホルダー４６１を結合することができる。次に、ベルト５２０と、アイドルプーリー５１０と、プーリーブラケット４６７と、弾性部材４７０を結合することができる。次に、ベルト５２０と、アイドルプーリー５１０と、プーリーブラケット４６７と、弾性部材４７０の組立体をフロントトップホルダー４６１の内部に圧入する。次に、フロントトップホルダー４６１にフロントボトムホルダー４６５を結合することができる。
【０２２１】
図２８は図１の食器洗浄器のベインと、ベインホルダーを図示した図面である。図２９は図１の食器洗浄器のベインを図示した斜視図である。図３０は図１の食器洗浄器のベインと、ベインホルダーの一部を拡大して図示した図面である。
【０２２２】
図２８〜図３０を参照して、本開示内容の実施例に係るベインについて説明する。
【０２２３】
ベイン４００はレール４４０に対して垂直な方向に長く延長されるように配置されるか置かれ得る。
【０２２４】
ベイン４００は固定ノズル３３０、３４０から噴射された洗浄水を反射させる反射部４０１と、反射部４０１で折り曲げられる上部支持部４１０と、上部支持部４１０で折り曲げられる後方支持部４１１と、反射部４０１の長さ方向中央部に配置される置かれるキャップ部４０４と、底板カバー６００の回転ガイド（６１０、図３１）に干渉されるように配置される置かれる回転係止部４０９と、反射部４０１と上部支持部４１０と後方支持部４１１の強度補強のために配置される置かれる補強リブ４１４と、ベインホルダー４９０の表面に支持される水平支持部４１２と、ベインホルダー４９０の側面に支持される垂直支持部４１３を含むことができる。
【０２２５】
反射部４０１は洗浄水を反射させるように傾斜して配置される置かれる反射面４０２ａ、４０２ｂを含むことができる。反射面４０２ａ、４０２ｂは洗浄水の反射角度が異なるように、互いに異なる傾斜を有して長さ方向に交互に配列され得る反射面４０２ａと、反射面４０２ｂを含むことができる。図２８に示されたように、３つの反射面４０２ｂがあり得るが、本開示内容はこれに限定されない。例えば、反射面４０２ｂがないこともあり得、一つの反射面、２つの反射面、または３つを超過する反射面４０２ｂがあることもあり得る。
【０２２６】
キャップ部４０４はベインホルダー４９０との結合のための結合溝４０５と、ベイン４００が底板カバー６００の回転ガイド６１０により回転する時にベイン４００の回転範囲を制限する回転ストッパー部４０８を含むことができる。
【０２２７】
ベイン４００の結合溝４０５にはベインホルダー４９０の結合突起部４９３が結合され得る。例えば、結合突起部４９３の結合軸部４９４がベイン４００の結合溝４０５に挿入され得る。結合軸部４９４はベイン４００を回転可能に支持することができる。
【０２２８】
図３０に図示された通り、ベイン４００の結合溝４０５は弾性フック４０７により形成され得る。弾性フック４０７はベインホルダー４９０の結合軸部４９４をベイン４００の結合溝４０５に圧入するか引き抜く過程で多少広がる方向に弾性変形されて挿入または離脱が完了されると原状に復元され得る。このような構成で、ベイン４００はベインホルダー４９０に装着および分離が可能となり得る。
【０２２９】
ベイン４００の長さ方向両端部にはベイン４００の移動を円滑にするローラ４１５が配置されるか置かれ得る。洗浄槽３０の底板３５にはローラ４１５を支持するローラ支持部（３９、図４７）が配置されるか置かれ得る。
【０２３０】
図３１〜図３３は図１の食器洗浄器のベインが回転する動作を図示した図面である。図３４は図１の食器洗浄器のベイン移動区間でベインが洗浄水を反射させる動作を図示した図面である。図３５は図１の食器洗浄器のベイン未移動区間でベインが洗浄水を反射させる動作を図示した図面である。
【０２３１】
図３１〜図３５を参照して、本開示内容の実施例に係るベインの移動区間と未移動区間および回転動作について説明する。
【０２３２】
本開示内容の実施例に係る食器洗浄器１は固定噴射ノズル３３０、３４０から噴射された洗浄水をベイン４００が食器側に反射させる。固定噴射ノズル３３０、３４０は概略水平方向に洗浄水を噴射するため、固定噴射ノズル３３０、３４０とベイン４００は概略互いに水平に位置される。したがって、固定噴射ノズル３３０、３４０が配置された領域にはベイン４００が移動できないこともあり得る。
【０２３３】
例えば、図３４と図３５を参照すると、食器洗浄器１はベイン４００が移動できるベイン移動区間（Ｉ１）と、ベイン４００が移動できないベイン未移動区間（Ｉ２）を含むことができる。
【０２３４】
本開示内容の実施例に係る食器洗浄器１のベイン４００はベイン未移動区間（Ｉ２）に収納された食器を洗浄するように回転可能に（例えば、所定角度で）配置されるか置かれ得る。
【０２３５】
前述した通り、底板カバー６００にはベイン４００の移動を案内するように突出された回転ガイド６１０が形成され得、ベイン４００には回転ガイド６１０に干渉されるように回転係止部４０９が形成され得る。回転係止部４０９はベイン４００の回転軸を形成するとともにベイン４００に駆動力を伝達するベインホルダー４９０の結合突起部４９３より上側に形成される。
【０２３６】
回転ガイド６１０は回転係止部４０９が接触してベイン４００が円滑に回転できるように曲面で形成されるガイド面６１１を含むことができる。
【０２３７】
ベイン４００がベイン移動区間（Ｉ１）でベイン未移動区間（Ｉ２）に到達した時にベイン４００の回転係止部４０９が底板カバー６００の回転ガイド６１０のガイド面６１１に干渉されると、ベイン４００はベインホルダー４９０の結合突起部４９３を中心に回転することになる。例えば、ベイン４００が後壁３２に向かって移動し、ベイン４００の回転係止部４０９が回転ガイド６１０のガイド面６１１と干渉すれば、ベイン４００は前方に向かってまたは後壁３２に向かって回転することができる。ベイン４００の回転により、ベイン４００によって反射される線浄水の方向または角度が、ベイン４００の回転係止部４０９が回転ガイド６１０のガイド面６１１と干渉する前にベイン４００によって反射される線浄水の方向または角度に比べて変形され得る。したがって、未移動区間（Ｉ２）の食器に向かって洗浄水を反射させることができるようになる。
【０２３８】
図３６は図１の食器洗浄器のサンプと、コースフィルターと、ファインフィルターを図示した図面である。図３７は図１の食器洗浄器のサンプと、コースフィルターと、ファインフィルターと、マイクロフィルターを分解して図示した図面である。図３８は図３６のI−I線に沿った断面図である。図３９は図３８のＢ部分を拡大して図示した図面である。図４０は図３８のII−II線に沿った断面図である。図４１は図４０のＣ部分を拡大して図示した図面である。図４２は図１の食器洗浄器のサンプと、コースフィルターを図示した平面図であって、コースフィルターのロック動作を図示した図面である。図４３は図１の食器洗浄器のコースフィルターを図示した側面図である。図４４は図１の食器洗浄器のサンプとコースフィルターを図示した図面であって、コースフィルターのロック動作を図示した図面である。図４５は図１の食器洗浄器のサンプと、コースフィルターと、マイクロフィルターを図示した断面図である。図４６は図１の食器洗浄器のコースフィルターと、マイクロフィルターの一部を拡大して図示した平面図である。図４７は図１の食器洗浄器の洗浄槽の下部を図示した平面図である。
【０２３９】
本開示内容の実施例に係る食器洗浄器１は洗浄水を貯水するサンプ１００と、サンプ１００の洗浄水を噴射ノズル３１１、３１３、３３０、３４０で循環させる循環ポンプ５１と、サンプ１００の洗浄水を残骸（例えば、飲食、汚物など）とともに本体１０の外部に排出させる排水ポンプ５２と、洗浄水に含まれた（例えば、飲食、汚物など）をろ過するためのフィルター１２０、１３０、１４０を含むことができる。
【０２４０】
洗浄槽３０の底板３５には洗浄水をサンプ１００に排水するための排水口（５０、図４７）が形成され、洗浄槽３０の底板３５は洗浄水が自重によって（すなわち、重力のため）排水口５０側に案内されるように排水口５０側に傾斜を有することができる。
【０２４１】
サンプ１００は概略的にまたは実質的に表面が開口された半球状を有することができる。サンプ１００は底部１０１と、側壁部１０３と、底部１０１と側壁部１０３に形成されて洗浄水が貯水される貯水チャンバー１１０と、循環ポンプ５１が連結される循環ポート１０７と、排水ポンプ５２が連結される排水ポート１０８を含むことができる。
【０２４２】
フィルター１２０、１３０、１４０は底板３５の排水口５０に装着されるファインフィルタ（１２０、ｆｉｎｅ  ｆｉｌｔｅｒ）と、サンプ１００に装着されるコースフィルタ（１４０、ｃｏａｒｓｅ  ｆｉｌｔｅｒ）およびマイクロフィルタ（１３０、ｍｉｃｒｏ  ｆｉｌｔｅｒ）を含むことができる。
【０２４３】
コースフィルタ１４０は略円筒状を有することができる。コースフィルタ１４０はサンプ１００の側壁部１０３の内側面に装着され得る。
【０２４４】
コースフィルタ１４０は相対的に大きい大きさの（例えば、飲食、汚物など）をろ過するフィルタ部１４２と、コースフィルタ１４０の装着のための取っ手１４１を有することができる。コースフィルタ１４０のフィルタ部１４２はコースフィルタ１４０の円周面に形成され得る。
【０２４５】
コースフィルタ１４０はマイクロフィルタ１３０の通過ホール１３９と、ファインフィルターの通過ホール１２１を貫通することができ、サンプ１００に装着され得る。コースフィルタ１４０の上部は洗浄槽３０の内部に突出され得、下部はサンプ１００の残骸捕集チャンバー１１１に突出される。残骸捕集チャンバー１１１については後述する。
【０２４６】
ファインフィルタ１２０は相対的に中間大きさ以上の残骸（例えば、飲食、汚物など）をろ過するフィルタ部１２１と、コースフィルタ１４０が通過する通過ホール１２２を有することができる。ファインフィルタ１２０は洗浄槽３０の底板３５の排水口５０の上に概略水平に装着され得る。ファインフィルタ１２０は洗浄水が自重によって（すなわち、重力のため）通過ホール１２２側に案内されるように傾斜を有することができる。
【０２４７】
洗浄槽３０の洗浄水はファインフィルタ１２０の傾斜に沿ってコースフィルタ１４０側に流動することができる。ただし、一部の洗浄水および残骸（例えば、飲食、汚物など）はファインフィルタ１２０のフィルタ部１２１を通過してすぐにサンプ１００の貯水チャンバー１１０に流動することができる。
【０２４８】
マイクロフィルタ１３０は相対的に小さい大きさ以上の残骸（例えば、飲食、汚物など）をろ過し、扁平な形状を有するフィルタ部１３１と、フィルタ部１３１を支持するフレーム１３２、１３３、１３５と、コースフィルタ１４０が通過する通過ホール１３９を有することができる。
【０２４９】
フレーム１３２、１３３、１３５は上部フレーム１３２と、下部フレーム１３３と、側部フレーム１３５を含むことができる。マイクロフィルタ１３０は下部フレーム１３３がサンプ１００の底部１０１に密着し、側部フレーム１３５がサンプ１００の側壁部１０３に密着されるようにサンプ１００に装着され得る。
【０２５０】
マイクロフィルタ１３０はサンプ１００の貯水チャンバー１１０を残骸捕集チャンバー１１１と、循環チャンバー１１２に区画することができる。図３８に示されたように、例えば、残骸捕集チャンバー１１１は、排水ポンプ５２にたいして循環チャンバー１１２より近く配置され得る。循環チャンバー１１２は循環ポンプ５１に対して残骸捕集チャンバー１１１より近く配置され得る。
【０２５１】
残骸捕集チャンバー１１１には排水ポンプ５２が連結され得、循環チャンバー１１２には循環ポンプ５１が連結され得る。
【０２５２】
前述した通り、コースフィルタ１４０はその下部が残骸捕集チャンバー１１１に突出されるように配置されるか置かれるため、コースフィルタ１４０を通過した洗浄水および洗浄水に含まれた汚物は残骸（例えば、飲食、汚物など）は残骸捕集チャンバー１１１に流入される。
【０２５３】
残骸捕集チャンバー１１１に流入された洗浄水はマイクロフィルタ１３０を通過して循環チャンバー１１２に流動することができる。ただし、残骸捕集チャンバー１１１に流入された洗浄水に含まれた残骸（例えば、飲食、汚物など）はマイクロフィルタ１３０を通過できないこともあり得るため、循環チャンバー１１２に流動できずにそのまま残骸捕集チャンバー１１１に残っていることになる。
【０２５４】
残骸捕集チャンバー１１１に捕集された残骸（例えば、飲食、汚物など）は排水ポンプ５２が稼動すると洗浄水とともに本体１０の外部に排出され得る。
【０２５５】
一方、残骸捕集チャンバー１１１の残骸（例えば、飲食、汚物など）がマイクロフィルタ１３０とサンプ１００の隙間を通じて循環チャンバー１１２に流動することを防止するように、マイクロフィルタ１３０はサンプ１００の底部１０１および側壁部１０３に密着されなければならない。
【０２５６】
このために、マイクロフィルタ１３０の下部フレーム１３３には下部シーリング溝１３４が形成され、側部フレーム１３５には側壁部１０３に向かって突出するように側部シーリング突起１３６が形成され得る。これに対応して、サンプ１００の底部１０１には下部シーリング溝１３４に挿入される下部シーリング突起１０２が形成され、サンプ１００の側壁部１０３には側部シーリング突起１３６が挿入される側部シーリング溝１０３が形成され得る。
【０２５７】
このような下方および側方の突起および溝構造で、マイクロフィルタ１３０とサンプ１００のシーリングが強化され得る。
【０２５８】
一方、コースフィルタ１４０はサンプ１００に垂直下方に挿入された後で解除位置からロック位置に回転することができ、サンプ１００に装着され得る。
【０２５９】
このために、コースフィルタ１４０の外周面には装着突起１４３が形成され、サンプ１００の側壁部１０３の内側面にはコースフィルタ１４０が解除位置からロック位置に回転されると装着突起１４３が水平方向に挿入され得る装着溝１０５が形成され得る。
【０２６０】
装着突起１４３はコースフィルタ１４０の解除位置からロック位置への回転方向により上を向く上向き傾斜面１４４を有することができる。装着溝１０５はコースフィルタ１４０の解除位置からロック位置への回転方向により下を向く下向き傾斜面１０６を有することができる。
【０２６１】
このような構造で、コースフィルタ１４０が解除位置からロック位置に回転される時に装着突起１４３の上向き傾斜面１４４が装着溝１０５の下向き傾斜面１０６を乗って滑りながらコースフィルタ１４０が下方に移動することができる。
【０２６２】
コースフィルタ１４０は解除位置からロック位置に回転される時に下方に移動してマイクロフィルタ１３０を下方に加圧することができる。このために、コースフィルタ１４０はマイクロフィルタ１３０を下方に加圧するように水平に形成される下方加圧面１４５を有することができる。マイクロフィルタ１３０は下方加圧面１４５により加圧されるように水平に（例えば、上部フレーム１３２の一部上に）形成される下方対応面（１３７）を有することができる。
【０２６３】
このように、コースフィルタ１４０が解除位置からロック位置に回転される時にマイクロフィルタ１３０を下方に加圧することによって、マイクロフィルタ１３０の下部フレーム１３３と、サンプ１００の底部１０１のシーリングがさらに強化され得、マイクロフィルタ１３０の浮きが防止され得る。
【０２６４】
また、コースフィルタ１４０は解除位置からロック位置に回転される時にマイクロフィルタ１３０を側方に加圧するように外周面の一部が半径方向外側に膨張されて形成される側方加圧面１４６を有することができる。すなわち、コースフィルタ１４０は膨らみ形状または楕円形状を有することができる。
【０２６５】
マイクロフィルタ１３０は側方加圧面１４６により側方に加圧される側方対応面１３８を有することができる。例えば、側方対応面１３８は、通過ホール１３９を形成する上部フレーム１３２の内壁として配置され得、またはその内壁に対応することができる。
【０２６６】
このような構成で、コースフィルタ１４０が解除位置からロック位置に回転されるとマイクロフィルタ１３０が側方に加圧されてマイクロフィルタ１３０の側部フレーム１３５と、サンプ１００の側壁部１０３のシーリングがさらに強化され得る。
【０２６７】
一方、図４７に図示された通り、コースフィルタ１４０は洗浄槽３０の両側壁３３、３４の中で一側壁に偏るように配置され得る。例えば、コースフィルタ１４０は右側壁３４よりも左側壁３３に近く配置され得る。代案として、コースフィルタ１４０は左側壁３３より右側壁３４に近く配置され得る。また、コースフィルタ１４０は、追加にまたは代案としてドアより後壁３２に近く配置され得、またはその反対に配置され得る。このようなコースフィルタ１４０の配置として、コースフィルタ１４０を分離する時にレール４４０に干渉されることなくコースフィルタ１４０を容易に分離することができる。
【０２６８】
図４８は本開示内容の第２実施例に係る分配装置を図示した斜視図である。図４９は図４８の分配装置の動作を説明するための平面図である。
【０２６９】
図４８および図４９を参照して、本開示内容の第２実施例に係る洗浄水分配装置について説明する。同じ要素に対しては同じ図面符号を付与し、前述した各要素または各特徴部に対する説明は省略し得るる。
【０２７０】
分配装置７００は循環ポンプ（５１、図３）でポンピングされた洗浄水を上部の回転ノズル（３１１、３１２、図３）と、下部左側の固定ノズル３３０と、下部右側の固定ノズル３４０に分配することができる。
【０２７１】
分配装置７００は略円筒状のハウジング７１０と、ハウジング７２０の内部に回転可能に配置されるか置かれる開閉部材７２０と、開閉部材７２０を回転させるように回転力を発生させるモーター７３０を含むことができる。
【０２７２】
ハウジング７１０の上面または底面のうちいずれか一つには、すなわちハウジング７１０の軸方向には複数のアウトレット７１１、７１２、７１３が形成され得る。複数のアウトレット７１１、７１２、７１３は第１アウトレット７１１と、第２アウトレット７１２と、第３アウトレット７１３を含むことができる。第１アウトレット７１１と、第２アウトレット７１２と、第３アウトレット７１３は半径方向に沿って配列され得る。
【０２７３】
第１アウトレット７１１は第１ホース７４１に連結されて上部の回転ノズル３１１、３１２に洗浄水を供給することができる。第２アウトレット７１２は第２ホース７４２に連結されて下部左側の固定ノズル３３０に洗浄水を供給することができる。第３アウトレット７１３は第３ホース７４３に連結されて下部右側の固定ノズル３４０に洗浄水を供給することができる。
【０２７４】
ハウジング７１０の円周面にはインレット７１９が形成され得る。インレット７１９には循環ポンプ５１が連結されるインレットホース７４９が連結され得る。
【０２７５】
開閉部材７２０は概略ディスク形態を有することができる。開閉部材７２０はアウトレット７１１、７１２、７１３が形成されたハウジング７１０の上面に密着され得るため、回転することによってアウトレット７１１、７１２、７１３を開閉することができる。開閉部材７２０はハウジング７１０の軸方向を中心に回転する。
【０２７６】
このために、開閉部材７２０は第１アウトレット７１１と、第２アウトレット７１２と、第３アウトレット７１３にそれぞれ対応される第１連通ホール７２１と、第２連通ホール７２２ａ、７２２ｂと、第３連通ホール７２３ａ、７２３ｂを含むことができる。例えば、第３アウトレット７１３は開閉部材７２０の上面の中心に最も近く配置され得、第１アウトレット７１１は開閉部材７２０の上面の中心から最も遠く配置され得、第２アウトレット７１２は第１アウトレット７１１と第３アウトレット７１３間に配置され得る。しかし、本開示内容はこれに限定されず、各アウトレットは互いに異なるように配列されることもある。また図４８に示されたように、各アウトレットは半径方向に整列される。しかし、代案として各アウトレットのうち一部または全部は各アウトレットが同一半径方向にすべて整列されないように配置され得る。また、各アウトレットのそれぞれは同一直径または互いに異なる直径を注することができる。
【０２７７】
したがって、開閉部材７２０が回転しながら連通ホールと、アウトレットが互いに向かい合う位置になると、そのアウトレットは開放されることになる。
【０２７８】
図４９を参照すると、図４９に図示された状態で開閉部材７２０の第１連通ホール７２１がハウジング７１０の第１アウトレット７１１に対応する位置にあるため、第１アウトレット７１１が開放され、したがって、上部の回転ノズル３１１、３１２に洗浄水が供給され得る。
【０２７９】
この状態で開閉部材７２０が時計方向または反時計方向に所定角度だけ（例えば、概略９０度時計回り方向に）回転すると、開閉部材７２０の第２連通ホール７２２ｂがハウジング７１０の第２アウトレット７１２に対応する位置となり、第２アウトレット７１２が開放され、したがって、左側下部の固定ノズル３３０に洗浄水が供給され得る。
【０２８０】
この状態で開閉部材７２０が時計方向または反時計方向に所定角度だけ（例えば、概略９０度時計回り方向に）さらに回転すると、開閉部材７２０の第２連通ホール７２２ａと、第３連通ホール７２３ｂがそれぞれハウジング７１０の第２アウトレット７１２と、第３アウトレット７１３に対応する位置となり、第２アウトレット７１２と、第３アウトレット７１３が開放され、したがって、左側下部の固定ノズル３３０と、右側下部の固定ノズル２４０に洗浄水が供給され得る。
【０２８１】
この状態で開閉部材７２０が時計方向または反時計方向に所定角度だけ（例えば、概略９０度時計回り方向に）さらに回転すると、開閉部材７２０の第３連通ホール７２３ａがハウジング７１０の第３アウトレット７１３に対応する位置となり、第３アウトレット７１３が開放され、したがって、右側下部の固定ノズル３４０に洗浄水が供給され得る。通常の技術者であれば分かるように、開閉部材７２０の回転の程度は、変えることができ、状態または分配組合せの個数、アウトレットの個数などに依存することができる。
【０２８２】
前記のように、本願で開示する各実施例に係る分配装置はハウジングの円周面、すなわちハウジングの半径方向にアウトレットが形成される構造であり得ることに反して、図４８および図４９に関して前述した実施例に係る分配装置はハウジングの上面または底面、すなわち軸方向にアウトレットが形成される構造であり得るという点で差がある。
【０２８３】
説明されていない符号７３１はモーター７３０の回転軸である。例えば、モーターの７３０の回転軸７３１は、ハウジング７１０および／または開閉部材７２０の上面の中心に対応し得る。
【０２８４】
図５０は本開示内容の実施例に係る分配装置を図示した斜視図である。図５１は図５０の分配装置の動作を説明するための平面図である。図５２は図５０の分配装置の動作を説明するための側面図である。図５３は本開示内容の実施例に係る分配装置を図示した斜視図である。
【０２８５】
図５０〜図５２を参照して、本開示内容の実施例に係る分配装置を説明する。同じ各要素に対しては同じ図面符号を付与し、前述した各要素または各特長部に対する説明は省略し得る。
【０２８６】
分配装置７５０は循環ポンプ（５１、図３）でポンピングされた洗浄水を上部の回転ノズル（３１１、３１２、図３）と、下部左側の固定ノズル３３０と、下部右側の固定ノズル３４０に分配させる。
【０２８７】
分配装置７５０は略円筒状のハウジング７６０と、ハウジング７６０の内部に回転可能に配置されるか置かれる開閉部材７７０と、開閉部材７７０を回転させるように回転力を発生させるモーター７８０を含むことができる。参照番号７８１はモーター７８０の回転軸を表わす。例えば、モーター７８０の回転軸７８１は、はうじんぐ７６０および／またはかいへいぶざい７７０の上面の中心に対応することができる。
【０２８８】
ハウジング７６０の上面または底面のうちいずれか一つ７６０ａには、すなわちハウジング７６０の軸方向には第１アウトレット７６１が形成され、ハウジング７６０の円周面７６０ｂ、すなわちハウジング７６０の半径方向には第２アウトレット７６２と、第３アウトレット７６３が形成され得る。第１アウトレット７６１は軸方向アウトレットで、第２アウトレット７６２と第３アウトレット７６３は半径方向アウトレットといえる。
【０２８９】
第１アウトレット７６１は第１ホース７９１に連結されて上部の回転ノズル３１１、３１２に洗浄水を供給することができる。第２アウトレット７６２は第２ホース７９２に連結されて下部左側の固定ノズル３３０に洗浄水を供給することができる。第３アウトレット７６３は第３ホース７９３に連結されて下部右側の固定ノズル３４０に洗浄水を供給することができる。図５０に示されたように、第２アウトレット７６２と第３アウトレット７６３は、軸方向に垂直に整列されるように互いに垂直に配列され得る。しかし、本開示内容はこれに限定されず、第２アウトレット７６２と第３アウトレット７６３は軸方向に垂直に整列されず、円周方向に円周面７６０ｂの互いに異なる位置に配置されるように、互いに垂直に配列されることもある。
【０２９０】
ハウジング７６０の円周面にはインレット７６９が形成され得る。インレット７６９には循環ポンプ５１が連結されるインレットホース７９９が連結され得る。
【０２９１】
開閉部材７７０はハウジング７６０のように略円筒状を有することができる。開閉部材７７０は軸方向アウトレットである第１アウトレット７６１を開閉する軸方向開閉部７７０ａと、半径方向アウトレットである第２アウトレット７６２と第３アウトレット７６３を開閉する半径方向開閉部７７０ｂを含むことができる。軸方向開閉部７７０ａと半径方向開閉部７７０ｂは互いに垂直であり、一体で形成され得る。開閉部材７７０はハウジング７６０の軸方向を中心に回転する。
【０２９２】
軸方向開閉部７７０ａは第１アウトレット７６１に対応する第１連通ホール７７１を有することができる。半径方向開閉部７７０ｂは第２アウトレット７６２および第３アウトレット７６３にそれぞれ対応される第２連通ホール７７２ａ、７７２ｂと第３連通ホール７７３ａ、７７３ｂを有することができる。
【０２９３】
したがって、開閉部材７７０が回転しながら連通ホールとアウトレットが互いに向かい合う位置となると、そのアウトレットは開放されることになる。
【０２９４】
前記のように、各実施例は、ハウジングの半径方向にアウトレットが形成された構造を説明し、ハウジングの軸方向にアウトレットが形成された構造を説明しているのに反して、図５０〜図５２に図示された各実施例はハウジングの半径方向と、ハウジングの軸方向にすべてアウトレットが形成された構造を開示する。
【０２９５】
ハウジングの半径方向と、軸方向にすべてアウトレットを形成することができるため、アウトレットがハウジングの軸方向にのみまたは半径方向にのみ配置される実施例に比べて、さらに多くのアウトレットを配置するか置くことができる。したがって、より多くの噴射ノズルが配置されるか置かれるとしても洗浄水を分配することができ、より多くの分配組合せを作ることができる。
【０２９６】
一例として、図５３に図示された通り、分配装置８００はハウジング８１０と、ハウジング８１０の内部に回転可能に配置されるか置かれる開閉部材８２０を有し、ハウジング８１０は軸方向に第１アウトレット８１１と、第２アウトレット８１２と、第３アウトレット８１３を有し、半径方向に第４アウトレット８１４と、第５アウトレット８１５と、第６アウトレット８１６を有することができる。
【０２９７】
図示された通り、軸方向アウトレット８１１、８１２、８１３は半径方向に沿って配列され得、半径方向アウトレット８１４、８１５、８１６は軸方向に沿って配列され得る。このように配列されることによって、各アウトレット８１１、８１２、８１３、８１４、８１５、８１６が相互独立的に開閉され得る。したがって、多様な分配組合せが可能となり得る。図５３に示したように、アウトレット８１４，８１５，８１６は、軸方向に垂直に整列されるように互いに垂直に配列され得る。しかし、本開示内容はこれに限定されず、アウトレット８１４、８１５、８１６は、軸方向に垂直に整列されず、ハウジング８１０および／または開閉部材８２０の円周方向への円周面の互いに異なる位置に配置されるように、互いに垂直に配列され得る。同様に各アウトレット８１４、８１５、８１６は、半径方向に水平に整列されるように、互いに水平に配列され得る。しかし、本開示内容はこれに限定されず、アウトレット８１１、８１２、８１３は、半径方向に水平に整列されず、ハウジング８１０および／または開閉部材８２０の半径方向への上面の互いに異なる位置に配置されるように、互いに水平に配列され得る。
【０２９８】
各アウトレット８１１、８１２、８１３、８１４、８１５、８１６はそれぞれホース８４１、８４２、８４３、８４４、８４５、８４６に連結されて別個の噴射ノズル（図示せず）に洗浄水を供給することができるため、分配装置８００はより多くの噴射ノズルに洗浄水を分配することができる。各連通ホール（図示せず）は、各アウトレットの個数および／または分配モードと組合せの所望の個数に応じて適切にハウジング８１０および／または開閉部材８２０の上面および／または円周面に配置されるか置かれ得る。
【０２９９】
説明されていない符号８３１はモーター（図示せず）の回転軸で、８１９はインレット、８４９はインレットホースである。分配装置８００のモーターは、本願で開示する各実施例と類似の方式で配置されるか置かれ得る。
【０３００】
図５４は本開示内容の実施例に係る分配装置の概念図である。図５５は本開示内容の実施例に係る分配装置の概念図である。
【０３０１】
図５４および図５５を参照して分配装置について説明する。同じ各要素に対しては同じ図面符号を付与し、前述した各要素または各特長部に対する説明は省略し得る。
【０３０２】
分配装置８５０は分配ボディー８６０と、流入流路８７９と、流出流路８７１、８７２、８７３、８７４と、流出流路８７１、８７２、８７３、８７４にそれぞれ配置されるか置かれ、流出流路８７１、８７２、８７３、８７４を開閉する分配バルブ８９１、８９２、８９３、８９４を含むことができる。
【０３０３】
ここで、分配バルブ８９１、８９２、８９３、８９４はそれぞれ独立的な駆動源を有して独立的に作動する一般的な開閉バルブであり得る。一例として分配バルブ８９１、８９２、８９３、８９４はコイルの電子力を利用したソレノイドバルブであり得る。またはボールバルブやバターフライバルブであり得る。
【０３０４】
分配装置８５０は分配バルブ８９１、８９２、８９３、８９４の独立的な開閉動作により多様な分配組合せを容易にすることができる長所がある。
【０３０５】
一方、開閉部材回転型分配装置に独立的に動作する分配バルブを結合した分配装置が構成されるか配列され得る。
【０３０６】
図５５に図示された通り、分配装置９００は複数のアウトレット９１１、９１２、９１３、９１４を有するハウジング９１０と、ハウジング９１０の内部に回転するように配置されるか置かれ、アウトレット９１１、９１２、９１３、９１４を開閉する開閉部材９２０と、流入慮路９３９、アウトレット９１１、９１２、９１３、９１４に連結される流出流路９３１、９３２、９３３、９３４と、流出流路９３３、９３４上に配置されるか置かれ、流出流路９３１、９３４を開閉する分配バルブ９４１、９４４を含むことができる。
【０３０７】
開閉部材９２０はハウジング９１０の軸方向を中心に回転し、アウトレット９１１、９１２、９１３、９１４に対応する連通ホール９２１、９２２、９２３、９２４を有することができる。
【０３０８】
本開示内容の思想によれば、ハウジング９１０の半径方向にアウトレットが形成され得るが、本開示内容はこれに限定されず、ハウジング９１０の軸方向にアウトレットが形成することもある。
【０３０９】
本開示内容の思想によれば、分配バルブ９４１、９４４は流出流路９３１、９３４にのみ配置されるか置かれ得るが、他の流出流路にも設けることができることはいうまでもない。例えば、たった一つの経路または２つより多い経路が分配バルブを含むことができ、図５５の実施例は一例に過ぎない。分配バルブ９４１、９４４は独立的な駆動源を有して独立的に作動する一般的な開閉バルブであり得る。
【０３１０】
図５６は本開示内容の洗浄水分配システムを図示した概念図である。
【０３１１】
図５６を参照すると、食器洗浄器は多数の噴射ノズルを制御できる洗浄水分配システムを有することができる。一例として、分配システム９５０は洗浄水をポンピングするポンプ５１と、複数の噴射ノズル９６０と、複数の噴射ノズル９６０に洗浄水を供給するようにポンプ５１と複数の噴射ノズル９６０を連結する分配流路であって、複数の分岐点を有する分配流路９７０と、複数の分岐点に配置されるか置かれ、洗浄水を分配する複数の分配装置９８０を含むことができる。
【０３１２】
食器洗浄器が前述した実施例の各分配装置のうち、単一分配装置によってカバーされないか支持できないほど多い数の噴射ノズルを有するか、多様な分配組合せを実現しようとする場合に、分配モードや状態の多様な組合せを必要とすることもある。
【０３１３】
分配システムは、単に一つの分岐点を有する分配流路と、単に一つの分配装置を有するのではなく、複数の分岐点を有する分配流路と、複数の分配装置を有することができるものである。
【０３１４】
このとき、分配システムの各分配装置は各分配装置のうち一つ以上を含むことができる。
【０３１５】
例えば、半径方向にアウトレットが形成された構造を有する開閉部材回転型分配装置、軸方向にアウトレットが形成された構造を有する開閉部材回転型分配装置、半径方向と軸方向にすべてアウトレットが形成された構造を有する開閉部材回転型分配装置、独立的な駆動源を有して独立的に作動する開閉バルブを有する分配装置、開閉部材回転型構造に開閉バルブが結合された分配装置のうち、任意の一つ以上が採用され得る。
【０３１６】
前述した各実施例による食器洗浄器およびその動作は、一つ以上のプロセッサーを利用することができる。例えば、処理装置は、一つ以上の汎用または専用のコンピュータを用いて具現され得、例えば、プロセッサー、算術論理部がある制御器、中央処理部（ＣＰＵ）、グラフィック処理部（ＧＰＵ）、デジタル信号プロセッサー（ＤＳＰ）、画像プロセッサー、マイクロコンピュータ、フィールドプログラミング可能アレイプログラミング可能ロジック部、特定アプリケーション集積回路（ＡＳＩＣ）、定義された方式で命令語に応答することができ、命令語を実行することができるマイクロプロセッサーまたは他の任意の装置中の一つ以上を含むことができる。
【０３１７】
本開示内容の権利範囲は前記説明した特定実施例にのみ限定されるものではない。特許請求の範囲に明示された本開示内容の技術的思想としての要旨を逸脱しない範囲の中で党分野で通常の知識を有した者によって修正または変形可能な多様な他の実施例も本開示内容の権利範囲に属すると言える。
【符号の説明】
【０３１８】
１：食器洗浄器
１０：本体
１１：ドア
１２ａ、１２ｂ：バスケット
３０：洗浄槽
３１：上部壁
３２：後壁
３３：左側壁
３４：右側壁
３５：底板
３６：底板突出部
３７：モーター通過ホール
３８：流路通過ホール
３９：ローラ支持部
５０：排水口
５１：循環ポンプ
５２：排水ポンプ
１００：サンプ
１０１：底部
１０２：下部シーリング突起
１０３：側壁部
１０４：側部シーリング溝
１０５：装着溝
１０６：下向き傾斜面
１０７：循環ポート
１０８：排水ポート
１０９：分配装置結合部
１１０：貯水チャンバー
１１１：残骸捕集チャンバー
１１２：循環チャンバー
１２０：ファインフィルタ
１２１：フィルタ部
１２２：通過ホール
１３０：マイクロフィルタ
１３１：フィルタ部
１３２：上部フレーム
１３３：下部フレーム
１３４：下部シーリング溝
１３５：側部フレーム
１３６：側部シーリング突起
１３７：下方対応面
１３８：側方対応面
１３９：通過ホール
１４０：コースフィルタ
１４１：取っ手
１４２：フィルタ部
１４３：装着突起
１４４：上向き傾斜面
１４５：下方加圧面
１４６：側方加圧面
２００：分配装置
２１０：ハウジング
２１１：インレット
２１２ａ、２１２ｂ、２１２ｃ：第１、２、３アウトレット
２２３：サンプ結合部
２２０：開閉部材
２２１：回転ボディー
２２２：連通ホール
２２３：係止ホール
２２４：離隔突起
２２５：シーリング部材
２２６：シーリング部
２２７：結合突起部
２２８：ストッパー部
２２９：カムシャフト結合部
２３０：モーター
２３１：モーター駆動シャフト
２４０：カム部材
２４１：カムシャフト
２４２：回転中心
２４３ａ、２４３ｂ、２４３ｃ：凸部
２４４ａ、２４４ｂ、２４４ｃ：凹部
２５０：マイクロスイッチ
２５１：接触端子
２６０：支持部材
２７１ａ：第１ホース
２７１ｂ：第２ホース
２７１ｃ：第３ホース
３００：ノズルアセンブリー
３１１：上部回転ノズル
３１２：噴射ホール
３１３：中間回転ノズル
３１４：噴射ホール
３１５：回転ノズル流入口
３２０：固定ノズルアセンブリー
３３０：左側固定ノズル
３３１：噴射ホール
３３２：ノズル流路
３３３：ノズル流入口
３３４：ノズルボディー
３３５：ノズルカバー
３３６：装飾部材
３３７：底板カバー締結ホール
３４０：右側固定ノズル
３４１：噴射ホール
３４２：ノズル流路
３４３：ノズル流入口
３４４：ノズルボディー
３４５：ノズルカバー
３４６：装飾部材
３４７：底板カバー締結ホール
４００：ベイン
４０１：反射部
４０２ａ、４０２ｂ：反射面
４０４：キャップ部
４０５：結合溝
４０７：弾性フック
４０８：回転ストッパー部
４０９：回転係止部
４１０：水平支持部
４１１：垂直支持部
４１２：上部支持部
４１３：側方支持部
４１４：補強リブ
４１５：ローラ
４２０：駆動装置
４３０：レールアセンブリー
４４０：レール
４４１：内部空間
４４２：上部壁
４４３：側壁
４４４：下部壁
４４５：下部開口
４５０：リアホルダー
４５１：プーリー支持面
４５２：レール支持面
４５３：底板カバー締結ホール
４６０：フロントホルダー
４６１：フロントトップホルダー
４６２：プーリー支持面
４６３：レール支持面
４６４：弾性部材支持面
４６５：フロントボトムホルダー
４６６：結合突起
４６７：プーリーブラケット
４６８：プーリー支持面
４６９：弾性部材支持面
４７０：弾性部材
４８０：ベルトホルダー
４８１：歯形結合部
４８２：側方レッグ
４８３：下部レッグ
４８４：締結部
４８５：締結ホール
４９０：ベインホルダー
４９１：締結ホール
４９２：上部支持部
４９３：結合突起部
４９４：結合軸部
４９５：離脱防止部
４９６：締結部材
５００：駆動プーリー
５０１：回転軸
５０２：ベルト結合部
５０３：シャフト結合部
５１０：アイドルプーリー
５１１：回転軸
５１２：ベルト結合部
５２０：ベルト
５２１：歯形
５３０：モーター
５３１：駆動シャフト
６００：底板カバー
６１０：回転ガイド
６１１：ガイド面
６２０：締結ホール
６３０：モーター装着部
６４０：シャフト通過ホール
６５１ａ：左側固定ノズル流入口連結部
６５１ｂ：回転ノズル流入口連結部
６５１ｃ：右側固定ノズル流入口連結部
６５２ａ、６５２ｂ、６５２ｃ：ホース連結部
６６０：シャフト通過ホールシーリング部材
６７０：底板シーリング部材
６８０：固定キャップ
６９０：締結部材
Ｈ：底板カバーの基準面
Ｉ１：ベイン移動区間
Ｉ２：ベイン未移動区間
Ｐ１、Ｐ２、Ｐ３、Ｐ４、Ｐ５、Ｐ６：開閉部材の回転位置
Ｓ：底板カバーと底板の離隔間隙
Ｔ１、Ｔ２、Ｔ３、Ｔ４、Ｔ５、Ｔ６：接触端子の位置
θ：底板カバーの傾斜
【図１】
2017500972.tif 000003
【図２】
2017500972.tif 000004
【図３】
2017500972.tif 000005
【図４】
2017500972.tif 000006
【図５】
2017500972.tif 000007
【図６】
2017500972.tif 000008
【図７】
2017500972.tif 000009
【図８】
2017500972.tif 000010
【図９】
2017500972.tif 000011
【図１０】
2017500972.tif 000012
【図１１】
2017500972.tif 000013
【図１２】
2017500972.tif 000014
【図１４】
2017500972.tif 000015
【図１５】
2017500972.tif 000016
【図１６】
2017500972.tif 000017
【図１７】
2017500972.tif 000018
【図１８】
2017500972.tif 000019
【図１９】
2017500972.tif 000020
【図２０】
2017500972.tif 000021
【図２１】
2017500972.tif 000022
【図２２】
2017500972.tif 000023
【図２３】
2017500972.tif 000024
【図２４】
2017500972.tif 000025
【図２５】
2017500972.tif 000026
【図２６】
2017500972.tif 000027
【図２７】
2017500972.tif 000028
【図２８】
2017500972.tif 000029
【図２９】
2017500972.tif 000030
【図３０】
2017500972.tif 000031
【図３１】
2017500972.tif 000032
【図３２】
2017500972.tif 000033
【図３３】
2017500972.tif 000034
【図３４】
2017500972.tif 000035
【図３５】
2017500972.tif 000036
【図３６】
2017500972.tif 000037
【図３７】
2017500972.tif 000038
【図３８】
2017500972.tif 000039
【図３９】
2017500972.tif 000040
【図４０】
2017500972.tif 000041
【図４１】
2017500972.tif 000042
【図４２】
2017500972.tif 000043
【図４３】
2017500972.tif 000044
【図４４】
2017500972.tif 000045
【図４５】
2017500972.tif 000046
【図４６】
2017500972.tif 000047
【図４７】
2017500972.tif 000048
【図４８】
2017500972.tif 000049
【図４９】
2017500972.tif 000050
【図５０】
2017500972.tif 000051
【図５１】
2017500972.tif 000052
【図５２】
2017500972.tif 000053
【図５３】
2017500972.tif 000054
【図５４】
2017500972.tif 000055
【図５５】
2017500972.tif 000056
【図５６】
2017500972.tif 000057
【図１３】
2017500972.tif 000058
【国際調査報告】
2017500972.tif 000059
2017500972.tif 000060